(57)【要約】【課題】小型化、低価格化、現像剤担持体２等の現像器部材長寿命化が可能で、かつ現像ゴースト、残像を防止でき、過剰な除電による白スジ、濃度ムラ等の画像不良を防止できる現像装置及び画像形成方法を提供する。【解決手段】非磁性一成分の現像装置８の現像剤担持体２の表面移動方向において現像領域３０の下流側から帯電部材６に至る領域内に、現像剤担持体２に当接する除電部材５を備え、この除電部材５により現像後の現像剤担持体２上のトナーの電荷を除電する。このとき、除電部材５に流れ込む除電電流を−１．５〜−５．０μＡ（負帯電トナーの場合）に規制する。これにより、現像剤担持体２と除電部材５の間で放電や過剰な電流が流れることなく、現像後の現像剤担持体２上のトナーの電荷が適度に除電される。【選択図】図２
2005265923.tif 000002
【特許請求の範囲】
【請求項１】
静電潜像を担持する回転可能な像担持体と、
前記像担持体に接触して配置されて一成分の現像剤を担持する回転可能で導電性を有する現像剤担持体、および前記現像剤担持体への電圧供給手段を含み、前記静電潜像を顕像化する現像手段と、
前記現像剤担持体と前記像担持体とが接触する現像位置よりも現像剤担持体回転方向の上流側に配置され、現像剤を帯電するとともに前記現像剤担持体上の現像剤層厚を規制する帯電部材、および前記帯電部材への電圧供給手段を含む帯電手段と、
前記現像位置よりも現像剤担持体回転方向の下流側に配置され、前記現像位置での現像後において前記現像剤担持体上に残留する現像剤の電荷を除電する除電部材、および前記除電部材への電圧供給手段を含む除電手段とを備え、
前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制したことを特徴とする現像装置。
【請求項２】
静電潜像を担持する回転可能な像担持体と、
前記像担持体に接触して配置されて一成分の現像剤を担持する回転可能で導電性を有する現像剤担持体、および前記現像剤担持体への電圧供給手段を含み、前記静電潜像を顕像化する現像手段と、
前記現像剤担持体と前記像担持体とが接触する現像位置よりも現像剤担持体回転方向の上流側に配置され、現像剤を帯電するとともに前記現像剤担持体上の現像剤層厚を規制する帯電部材、および前記帯電部材への電圧供給手段を含む帯電手段と、
前記現像位置よりも現像剤担持体回転方向の下流側に配置され、前記現像位置での現像後において前記現像剤担持体上に残留する現像剤の電荷を除電する除電部材、および前記除電部材と接地との間に設けられて現像剤担持体と除電部材の間に電界を与える接地抵抗を含む除電手段とを備え、
前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制したことを特徴とする現像装置。
【請求項３】
前記接地抵抗値が前記現像剤担持体上の現像剤層の電気抵抗値よりも高く設定されていることを特徴とする請求項２記載の現像装置。
【請求項４】
前記除電部材の前記現像剤担持体に当接する表面が、帯電系列上において前記現像剤よりも前記現像剤の正規の帯電極性と同極性側に片寄った材料で形成されていることを特徴とする請求項１〜３の何れか一項に記載の現像装置。
【請求項５】
前記除電部材は、ポリフッ化ビニリデン（ＰＶＤＦ）または４フッ化エチレン・パーフロロプロピルビニルエーテル（ＰＦＡ）系樹脂であることを特徴とする請求項１〜４の何れか一項に記載の現像装置。
【請求項６】
前記除電部材の表面抵抗値がＥ４〜Ｅ９Ω・ｃｍであることを特徴とする請求項１〜５の何れか一項に記載の現像装置。
【請求項７】
前記除電電流がＡｊ、前記帯電部材通過後の現像剤担持体上の前記現像剤の帯電量がＱ／Ｍのとき、３．０≦（Ｑ／Ｍ）／Ａｊ≦１２．０であることを特徴とする請求項１〜６の何れか一項に記載の現像装置。
【請求項８】
前記除電部材と前記現像剤担持体の接触ニップ幅が２ｍｍ以下、前記現像剤の内部摩擦係
数がμｔ、前記現像剤と前記現像剤担持体との摩擦係数がμｒｔ、前記現像剤と前記除電部材との摩擦係数がμｊｔのとき、μｊｔ＜μｔ＜μｒｔであることを特徴とする請求項１〜７の何れか一項に記載の現像装置。
【請求項９】
前記除電部材の引っ張り強度が１ＭＰａ以上であることを特徴とする請求項１〜８の何れか一項に記載の現像装置。
【請求項１０】
前記現像剤担持体と前記除電部材との間に、前記現像剤担持体と前記除電部材とに所定の電位差以上に電界が働くことを規制するツエナーダイオードを設けたことを特徴とする請求項１〜９の何れか一項に記載の現像装置。
【請求項１１】
前記ツエナーダイオードにより１００Ｖ以下の電位差に規制されることを特徴とする請求項１０記載の現像装置。
【請求項１２】
前記現像剤担持体と前記除電部材の押圧力を引っ張り荷重３０〜１００ｇｆ以下とすることを特徴とする請求項１〜１１の何れか一項に記載の現像装置。
【請求項１３】
前記現像剤のＣＶ値［％］が２０％以内であることを特徴とする請求項１〜１２の何れか一項に記載の現像装置。
【請求項１４】
回転可能な像担持体上に静電潜像を形成し、
前記像担持体に接触して回転可能に配置された現像剤担持体上に、帯電部材により所定電位に帯電されかつ層厚の規制された一成分の現像剤を設け、
前記現像剤担持体上の前記現像剤を前記静電潜像に供給して当該静電潜像を現像し、
現像後に、電圧供給手段により電位を与えられた除電部材により前記現像剤担持体上に残留する現像剤の電荷を除電する画像形成方法であって、
前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制することを特徴とする画像形成方法。
【請求項１５】
回転可能な像担持体上に静電潜像を形成し、
前記像担持体に接触して回転可能に配置された現像剤担持体上に、帯電部材により所定電位に帯電されかつ層厚の規制された一成分の現像剤を設け、
前記現像剤担持体上の前記現像剤を前記静電潜像に供給して当該静電潜像を現像し、
現像後に、除電部材と接地との間に設けられて現像剤担持体と前記除電部材との間に電界を与える接地抵抗により前記現像剤担持体上に残留する現像剤の電荷を除電する画像形成方法であって、
前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制することを特徴とする画像形成方法。
【請求項１６】
前記接地抵抗値を前記現像剤担持体上の現像剤層の電気抵抗値よりも高く設定したことを特徴とする請求項１５記載の画像形成方法。
【請求項１７】
前記除電部材の前記現像剤担持体に当接する表面を、帯電系列上において前記現像剤よりも前記現像剤の正規の帯電極性と同極性側に片寄った材料で形成することを特徴とする請求項１４〜１６の何れか一項に記載の画像形成方法。
【請求項１８】
前記除電部材を、ポリフッ化ビニリデン（ＰＶＤＦ）または４フッ化エチレン・パーフロロプロピルビニルエーテル（ＰＦＡ）系樹脂で形成することを特徴とする請求項１４〜１
７の何れか一項に記載の画像形成方法。
【請求項１９】
前記除電部材の表面抵抗値をＥ４〜Ｅ９Ω・ｃｍとすることを特徴とする請求項１４〜１８の何れか一項に記載の画像形成方法。
【請求項２０】
前記除電電流がＡｊ、前記帯電部材通過後の現像剤担持体上の前記現像剤の帯電量がＱ／Ｍのとき、３．０≦（Ｑ／Ｍ）／Ａｊ≦１２．０を満たすようにすることを特徴とする請求項１４〜１９の何れか一項に記載の画像形成方法。
【請求項２１】
前記除電部材と前記現像剤担持体の接触ニップ幅が２ｍｍ以下、前記現像剤の内部摩擦係数がμｔ、前記現像剤と前記現像剤担持体との摩擦係数がμｒｔ、前記現像剤と前記除電部材との摩擦係数がμｊｔのとき、μｊｔ＜μｔ＜μｒｔを満たすようにすることを特徴とする請求項１４〜２０の何れか一項に記載の画像形成方法。
【請求項２２】
前記除電部材の引っ張り強度を１ＭＰａ以上にすることを特徴とする請求項１４〜２１の何れか一項に記載の画像形成方法。
【請求項２３】
前記現像剤担持体と前記除電部材の間に、前記現像剤担持体と前記除電部材とに所定の電位差以上に電界が働くことを規制するツエナーダイオードを設けることを特徴とする請求項１４〜２２の何れか一項に記載の画像形成方法。
【請求項２４】
前記ツエナーダイオードにより１００Ｖ以下の電位差に規制することを特徴とする請求項２４記載の画像形成方法。
【請求項２５】
前記現像剤担持体と前記除電部材の押圧力を引っ張り荷重３０〜１００ｇｆ以下とすることを特徴とする請求項１４〜２４の何れか一項に記載の画像形成方法。
【請求項２６】
前記現像剤のＣＶ値［％］を２０％以内にすることを特徴とする請求項１４〜２５の何れか一項に記載の画像形成方法。
【発明の詳細な説明】
【技術分野】
【０００１】
本発明は、複写機、プリンタ等の電子写真装置において像担持体上に形成される静電潜像を現像して可視像化する現像装置に関するものである。特に、表面が移動する現像剤担持体に供給されるトナーを該表面に当接するトナー規制部材（帯電部材）と該表面との間に通過させることで該表面に帯電トナー薄層を形成して現像領域へ搬送し、現像に供し、現像後消費されずに残った余剰のトナーを現像剤担持体に保持したままトナー供給側へ戻す一成分現像装置に関する。
【背景技術】
【０００２】
複写機、プリンタなどの電子写真方式を採用してなる画像形成装置においては、像担持体表面に形成された静電潜像を現像するための現像装置が備えられている。
【０００３】
近年、画像形成装置の小型化の要請に応じて、この現像装置においても小型化が強く要望されるようになり、その時の現像性能を確保する技術が求められている。
【０００４】
たとえば、トナーおよび磁性キャリアからなる二成分系の現像剤を磁力を利用して像担持体と対向する現像領域へと搬送する磁気ブラシ方式による現像剤担持体を備え、現像後には現像剤を現像槽内へと回収するようにした現像装置が実用化されている。
【０００５】
この方式において現像を安定させるためには、消費されるトナーを補給し、現像剤中に含まれるトナーの割合、つまりトナー濃度が一定になるように制御する必要がある。
【０００６】
通常、上述した磁気ブラシ現像方式による現像装置においては、現像剤中のキャリアが占める割合の方が多く、現像剤を収容する現像槽が大きくなり、全体に現像装置が大きくなる傾向にある。しかも、トナー濃度を制御する必要があると同時に、現像剤中のトナーの帯電量を一定にするための撹拌部材等も必要となり、この撹拌部材を複数設けており現像装置を小型化できない要因になっていた。
【０００７】
これに対し、近年、一成分系の現像剤、つまりキャリアが存在しない一成分系の現像剤であるトナーを用いて現像を行う現像装置が提案され、実施に供されている。
【０００８】
このような一成分現像剤を用いる現像装置においてはトナー濃度を制御する必要はなく、キャリアが存在しない分、現像槽の容積を大幅に小さくでき、よって現像装置の小型化を可能にできる。これに合わせてメンテナンス等の簡易性についても優れている。つまり、劣化した現像剤、特にキャリアの劣化により現像剤を交換する必要がない分、その交換のためのメンテナンスが不要となる。また、トナーを補充するのみでよく、トナー濃度検出を行う必要もなく、そのための制御も必要としなくなるため、制御も簡単になる。特に、一成分系のトナーを用いる現像装置において、トナーを必要時に補充するだけでよくなる。特に磁性トナーを用いない場合、磁石ローラを用いないため、小型で鮮明に現像できる安価な装置が実現できる。
【０００９】
非磁性一成分トナーを用いる現像装置は、静電潜像を担持する像担持体および現像剤（トナー）を担持する現像剤担持体を非接触状態で対向配置させ、これらの間に交番電界を印加してトナーを往復飛翔させて現像する非接触型の現像装置と、導電性を有する弾性体から成る現像剤担持体および像担持体を接触状態で対向配置させ、現像剤担持体に電圧を印加して現像する接触型の現像装置とに大別される。非接触型の装置は、主に直流電圧に交流電圧を重畳した現像バイアス電圧を用い、接触型の装置は、直流の現像バイアス電圧
を用いる。
【００１０】
このような従来の一成分現像装置は、たとえば特開平１１−２８８１７０号公報に開示されている。ここで、当該公報に記載された従来の現像装置の構成を、図１１の概略図を用いて説明する。図１１は従来の現像装置を示す概略図である。
【００１１】
この一成分現像装置において、現像領域３０側に開放した現像剤（トナー）ホッパ３４内には一成分の現像剤（トナー）７が収容されており、該トナー７を撹拌して、後述する現像剤供給部材（供給ローラ）３近傍に供給するアジテータやスクリューなどの撹拌供給部材４、表面が移動して現像剤７を現像領域３０に運び、静電潜像を担持する像担持体１への現像動作を行う現像剤担持体２、現像剤担持体２に現像剤供給領域で現像剤（トナー）を供給する現像剤供給部材３、現像剤担持体２表面に当接し、供給されたトナー７を現像剤担持体２表面との間に通過させることで該表面に帯電トナー薄層を形成する帯電部材６、現像剤担持体２の表面移動方向において現像領域３０の下流側から帯電部材６に至る領域内に位置し、現像剤担持体２の表面移動方向を横切る方向における現像剤担持体２表面の一部または全部に当接する除電部材１０５を備えている。また、現像剤担持体２には現像バイアス電圧供給用の電源９、現像剤供給部材３には現像剤供給部材３への電圧供給用の電源１１、帯電部材６には帯電部材電圧供給用の電源１０、除電部材１０５には除電部材１０５への電圧供給用の電源１１２がそれぞれ電気的接続され、さらに、除電部材１０５と現像剤担持体２との間には、除電部材１０５を十分な力で現像剤担持体２に圧接させるためのバックアップスポンジ１１３を備えている。
【００１２】
この上記した構成の内、除電部材１０５は、板状の弾性部材で、たとえばＰＣとＰＢＴとの混合樹脂、ナイロン、ＰＥＴ、ＰＴＦＥなどのフッ素含有樹脂、シリコン含有樹脂、ポリウレタンおよびＰＶＤＦのいずれか１つを基材として、カーボンブラック、導電性微粒子、ＴｉＯ2のうちのいずれか１つまたは複数のものなどの電気抵抗値の調整剤を適宜混合した材料からなり、厚みは０．３ｍｍ±０．１ｍｍ、電気抵抗値は１０-5〜１０-6Ωであり、現像剤担持体２とのニップ（周方向の接触長）は０．５〜１ｍｍに設定されている。また、現像剤担持体２上のトナー層の抵抗値Ｒｔと除電部材１０５の抵抗値Ｒｄはほぼ同じに設定されている。さらには、除電のために必要な電流Ｉは、帯電部材６通過後の現像剤担持体２上のトナー層の単位面積当たりのトナー質量をｍ／ａとし、トナー７の帯電電荷量をｑ／ｍとし、現像領域３０通過後の現像剤担持体２上のトナー層の電荷変化量、すなわち像担持体１との圧接で変化したトナー電荷量を△ｑ／ｍとし、現像剤担持体２の回転速度をｖｔとし、除電部材１０５の除電有効幅をＷｃとしたとき、Ｉ≧−（ｍ／ａ）・（ｑ／ｍ＋△ｑ／ｍ）・ｖｔ・Ｗｃとすることが好ましいとしている。
【００１３】
また、現像剤担持体２、除電部材１０５、トナー層の電気抵抗値を考慮して印加電圧を決定するに際し、除電電流Ｉの供給を定電圧の電源１１２で実現するためには、Ｖ＝ＩＲの関係から、除電部材用電源１１２から除電部材１０５への直流の印加電圧をＶｊとし、現像剤担持体用電源９から現像剤担持体２への直流の印加電圧をＶｂとし、除電部材１０５の電気抵抗値をＲｄとし、トナー層の電気抵抗値をＲｔとし、現像剤担持体２の電気抵抗値をＲｒとしたとき、（Ｖｄ−Ｖｒ）≧−（（（ｍ／ａ）・（ｑ／ｍ＋△ｑ／ｍ）・ｖｔ・Ｗｃ）・（Ｒｄ＋Ｒｔ＋Ｒｒ））を満たす電位差（Ｖｄ−Ｖｒ）を印加することが好ましいとしている。
【００１４】
このように構成された従来の現像装置の動作について説明する。
【００１５】
現像領域３０側に開放したトナーホッパ３４内には一成分のトナー７が収容されている。このトナー７は、アジテータやスクリューなどの撹拌供給部材４によって撹拌されるとともに現像剤供給部材３の近傍に供給される。現像剤担持体２の回転方向と同じ方向に回
転する現像剤供給部材３は、現像剤担持体２と接触、たとえば圧接される。また、現像剤供給部材３には、接続された電源１１によって所定のバイアス電圧Ｖｓが印加される。該電圧Ｖｓはトナー７を電気的に現像剤担持体２の方向へ移動させるように設定され、たとえば負極性トナーを用いた場合、負極側により大きい電位の電圧Ｖｓが印加される。トナー７は現像剤担持体２と現像剤供給部材３との電位差による電荷注入および両部材２，３の接触部における摩擦帯電によって電荷が付与されることによって、効果的に現像剤担持体２に供給される。現像剤担持体２に付着したトナー７は、現像領域３０の現像剤担持体回転方向上流側に設けられた帯電部材６の近傍へ搬送される。たとえば、帯電部材６は、板状の金属材料からなり、その一方端部の先端または先端近傍の現像剤担持体側表面が現像剤担持体２に押圧するようにして、他方端部がトナーホッパ３４の上部に固定される。また、帯電部材６には、電源１０から所定のバイアス電圧Ｖｄが印加される。これらによって、現像剤担持体２上のトナー層は所定の電荷量に帯電されるとともに所定の厚さに形成される。現像剤担持体２に付着したトナー７は現像領域３０へ搬送されて像担持体１の表面の静電潜像を顕像化する。
【００１６】
現像領域３０を通過した現像剤担持体２に残存するトナー７は、現像領域３０の現像剤担持体回転方向下流側に設けられた除電部材１０５の近傍へ搬送される。除電部材１０５は、現像剤担持体２に圧接するようにして、たとえばバックアップスポンジ１１３を用いてトナーホッパ３４の下部に固定される。除電部材１０５は、電源１１２から所定のバイアス電圧Ｖｊが印加される。バイアス電圧Ｖｊは、後述するような直流または交流の電圧である。このような除電部材１０５によってトナー７の電荷が除電される。また、現像剤担持体２には、この現像剤担持体２との接触点で移動方向が逆となる現像剤供給部材３が圧接されており、これによってトナー７は現像剤担持体２から剥離され、トナーホッパ３４内に回収されて再利用される。このような工程によって繰り返し画像が形成される。
【００１７】
しかしながら、この特開平１１−２８８１７０号公報によれば、除電部材１０５の電気抵抗値は１０-5〜１０-6Ωであり、これは現像剤担持体２上のトナー層の電気抵抗値（１０6〜１０9Ω程度）より低抵抗であるため、除電部材１０５と現像剤担持体２との間で過剰に電位差が生じて過電流が流れたり、放電現象が発生し、トナー７を劣化させたり、除電部材１０５や現像剤担持体２等の現像器部材を劣化させる等の問題点を有していた。
【００１８】
また、除電部材１０５とトナー７の電気抵抗値を同じにするとしているが、現像剤担持体２上に電気抵抗値が１０6〜１０9Ω（トナー層厚が０．４〜１．３ｍｇ／ｃｍ2）のトナー層がある時は問題は無いが、現像後にトナー層が薄くなっている若しくは殆どない場合は、現像剤担持体２のトナーが少ないまたは殆どない部分と除電部材１０５の間で過剰に電位差が生じて、部分的に過電流が流れたり、放電現象が発生し、トナー７を劣化させたり、除電部材１０５や現像剤担持体２等の現像器部材を劣化させるという問題点を有していた。
【００１９】
また、除電電流は、現像剤担持体２上のトナー層電流値以上であれば除電効果が十分に得られ、残像が発生しないとしているが、実際には除電部材１０５とトナー７との摩擦帯電による電荷移動があるが、この点については考慮されておらず、実際の必要除電電流よりも過剰な設定になる傾向（−１０〜−１００μＡ程度）にあり、十分に除電効果は得られるが、上述したように除電部材１０５と現像剤担持体２との間で部分的に過電流が流れたり、放電現象が発生し、トナー７を劣化させたり、除電部材１０５や現像剤担持体２等の現像器部材を劣化させるという問題点を有する。
【００２０】
そして、除電効果が高すぎると、逆極および弱帯電トナーを多量に作り、現像剤担持体２上のトナー層厚のムラによる濃度ムラを発生させたり、これらの逆極および弱帯電トナーが現像剤供給部材３の目の中に多量に入り込んで現像剤供給部材３を硬化させ、その現
像剤供給部材３が現像剤担持体２を削ったり、除電後、過剰に現像剤供給部材３により現像剤担持体２上のトナー７を掻き取るために、現像剤供給部材３からトナー７を現像剤担持体２に供給された後は、トナーホッパ３４からの未帯電トナーが多く、トナー７の帯電量が低いため、現像剤担持体２自体のトナー搬送力が弱くなるので、トナー７の軟凝集物が帯電部材１０５に引っかかりやすく、画像上に白筋が発生するという問題点を有する。
【００２１】
また、除電部材１０５と現像剤担持体２との押圧力に具体的な規定が無いので、強く除電部材１０５を現像剤担持体２に当てすぎた場合には、現像後の現像剤担持体２上に残留するトナー７の電荷を過剰に除電してしまう場合がある。そのため、逆極および弱帯電トナーを多量に作り、現像剤担持体２上のトナー層厚のムラによる濃度ムラを発生させたり、これらの逆極および弱帯電トナーが現像剤供給部材３の目の中に多量に入り込んで現像剤供給部材３を硬化させ、その現像剤供給部材３が現像剤担持体２を削ったり、除電後、過剰に現像剤供給部材３により現像剤担持体２上のトナーを掻き取るために、現像剤供給部材３からトナー７が現像剤担持体２に供給された後は、トナーホッパ３４からの未帯電トナーが多く、トナー７の帯電量が低いため、現像剤担持体２自体のトナー搬送力が弱くなるので、トナー７の軟凝集物が帯電部材に引っかかりやすく、画像上に白筋が発生するいう問題点を有する。
【００２２】
また、強く当てすぎた場合、除電過剰に加えて、現像剤担持体２上のトナー層が除電部材１０５を通過できない問題も出てきたり、除電部材１０５と現像剤担持体２とのニップ部で摩擦による熱が発生し、トナー７を劣化させたり、除電部材１０５または現像剤担持体２のニップ表面にトナー７を融着させて、これにより現像剤担持体２を傷つけて、スジや濃度ムラ等の画像障害を起こす問題がある。
【００２３】
逆に、除電部材１０５を弱く現像剤担持体２に当てた場合は、除電効果が低く、残像が出る問題がある。この場合、除電部材１０５、現像剤担持体２上のトナー層、現像剤担持体２の電気抵抗とトナー層の電荷量に見合うだけ除電部材１０５と現像剤担持体２との間に電位差を持たせるとしているが、除電部材１０５の押圧力が弱い場合は、摩擦帯電能力の高い除電部材１０５を用いない限り、除電効果を高めるためには、過剰に除電部材１０５と現像剤担持体２との間に電位差を持たせなければならないため、除電部材１０５と現像剤担持体２との間で放電が起こりやすくなり、各種部材を劣化させてしまう問題がある。そして、このことも上述したように除電部材１０５の摩擦帯電特性により、除電効果が高すぎたり、低すぎたりする問題点も有することになる。
【００２４】
また、前述した公報によれば、除電効果を出すために、除電部材１０５に所定の電位を印加し、除電部材１０５と現像剤担持体２の間に電位差を設けているが、この電位差は現像剤担持体２上のトナー７、除電部材１０５、現像剤担持体２等の抵抗値と現像剤担持体２上の現像剤（トナー）の帯電量のみで決められており、除電部材１０５の帯電能力が考慮されていない。除電部材１０５は選択する材料によって帯電能力が違うので、例えば帯電能力が高いにもかかわらず、除電部材１０５、トナー７、現像剤担持体２の電気抵抗を高くした場合、過剰の電位差をとってしまうため、過剰に現像剤担持体２上のトナー７を除電しすぎてしまい、逆極および弱帯電トナーを多量に作り、現像剤担持体２上のトナー層厚のムラによる濃度ムラを発生させたり、これらの逆極および弱帯電トナーが現像剤供給部材３の目の中に多量に入り込んで現像剤供給部材３を硬化させ、その現像剤供給部材３が現像剤担持体２を削ったり、除電後、過剰に現像剤供給部材３により現像剤担持体２上のトナー７を掻き取るために、現像剤供給部材３からトナー７を現像剤担持体２に供給された後は、トナーホッパからの未帯電トナーが多く、トナー７の帯電量が低いため、現像剤担持体２自身のトナー搬送力が弱くなるので、トナー７の軟凝集物が帯電部材に引っかかりやすく、画像上に白筋が発生するという問題点を有する。
【００２５】
また、現像剤担持体２上に電気抵抗値が１０6〜１０9Ω（トナー層厚が０．４〜１．３ｍｇ／ｃｍ2）のトナー層がある時は問題無いが、現像後にトナー層が薄くなっている若しくは殆どない場合は、現像剤担持体２と除電部材１０５に所定の電位差を保つことが困難で、現像剤担持体２のトナー７が少ないまたは殆どない部分と除電部材１０５の間で、過剰に電位差が生じて、過電流が流れたり、放電現象が発生し、トナー７を劣化させたり、除電部材１０５や現像剤担持体２等の現像器部材を劣化させるという問題点を有していた。
【００２６】
また、除電部材１０５の電気抵抗は１０-5〜１０-6Ωと低抵抗であるため、現像剤担持体２およびトナー７の抵抗値が高い場合、除電部材１０５と現像剤担持体２の電位差は高く設定することになり、また、現像後に現像剤担持体２上のトナー７が殆ど無い場合は、現像剤担持体２と除電部材１０５の電位差が過剰に大きくなる場合があり、上述したように除電部材１０５と現像剤担持体２の間で、過電流が流れたり、放電現象が発生し、トナー７を劣化させたり、除電部材１０５や現像剤担持体２等の現像器部材を劣化させるという問題点を有する。
【００２７】
逆に、除電部材１０５、トナー７、現像剤担持体２の電気抵抗が低い場合、除電部材１０５と現像剤担持体２の電位差は小さくするとしているが、除電部材１０５の摩擦帯電能力が小さい場合、現像剤担持体２上のトナー７を殆ど除電しない問題がある。したがって、除電部材１０５の摩擦帯電能力の大きさによって、過剰に除電したり、除電不足が起きるという問題がある。
【００２８】
また、除電部材１０５の強度が明確に規定されていないので、強度的に除電部材１０５が弱い場合、現像剤担持体２上のトナー７により摩耗したり、引き裂かれたりして、その部分にトナー７が堆積、固着して、その部分での現像剤担持体２を削るという問題もある。この問題に対して、トナー７の内部摩擦係数μｔ、トナー７と現像剤担持体２との摩擦係数μｒｔ、トナー７と除電部材１０５との摩擦係数μｄｔがμｄｔ＜μｔ＜μｒｔであるとするとしているが、実際には、現像剤担持体２上のトナー７が完全に除電部材１０５上を滑って通過するものではないので、柔らかい除電部材１０５であれば、トナー７の外添剤により除電部材１０５を摩耗したり、引き裂かれたりしてしまう問題がある。
【００２９】
さらには、除電部材１０５と現像剤担持体２の間に電位差を設けるため、除電部材１０５にも電位をかける必要があるため、電源が余分に必要であり、コスト、小型化に問題を有する。
【００３０】
また、特開平６−７５４６９号公報に開示された現像技術では、除電部材をトナーよりも帯電系列上、トナーの正規の帯電極性と同極性側に片寄った材料にするとし、除電部材と現像剤担持体に電位差を設けるとしているが、前述したように、これだけでは除電部材のトナーとの摩擦帯電能力が考慮されていないため、具体的には、トナーの摩擦帯電能力を考慮した除電電流値と除電部材と現像剤担持体の電位差となっていないため、過剰に除電したり、除電不足になったり、除電部材と現像剤担持体の間に過剰な電位差ができ、除電部材、現像剤担持体等各種部材を劣化させる問題がある。
【００３１】
また、これらの問題に対して、特開２０００−１０４０４号公報では、現像剤を所定層厚形成した現像剤担持体が黒画像現像を行った後、現像剤供給部材によって現像剤を供給し、現像剤層規制部材により再び所定層厚となるよう形成した時の現像剤担持体が担持している現像剤の平均体積粒径をＤｂｋとし、現像剤を所定層厚形成した現像剤担持体が白画像現像を行った後、前記現像剤供給部材によって現像剤を供給し、現像剤層規制部材により再び所定層厚となるよう形成した時の現像剤担持体が担持している現像剤の平均体積粒径をＤｗｔとした場合、Ｄｗｔ／Ｄｂｋ＞０．８を満足させることにより、現像の残像
、ゴーストを解消できるとしている。しかしながら、この技術だけにたよると、現像を行うに当たって粒径選択が必ず起こるので、現像剤（トナー）の粒径および帯電量分布をかなりシャープにしなければならず、分級等にかなりのトナー製造コストがかかるという問題がある。また、こうして製造したトナーでも接触式の非磁性一成分の現像方式では、トナーにかなりのストレスがかかり、経時での粒径および帯電量分布をシャープに維持することが困難であり、耐久性に問題がある。
【特許文献１】特開平１１−２８８１７０号公報
【特許文献２】特開平６−７５４６９号公報
【特許文献３】特開２０００−１０４０４号公報
【発明の開示】
【発明が解決しようとする課題】
【００３２】
前述のように、従来の技術では、除電部材の電気抵抗値が、１０-5〜１０-6Ωでトナー層より低抵抗であるため、除電部材と現像剤担持体の間で、過剰に電位差が生じて、部分的に過電流が流れたり、放電現象が発生し、トナーを劣化させたり、除電部材や現像剤担持体等の現像器部材を劣化するのを防止できない。
【００３３】
また、従来の技術では、除電部材とトナーの電気抵抗値を同じにするとあるが、現像後の現像剤担持体上のトナーは、少なくなったり、殆ど無い場合が存在するため、現像剤担持体上に電気抵抗値が１０6〜１０9Ω（トナー層厚が０．４〜１．３ｍｇ／ｃｍ2）程度のトナー層が、現像後にトナー層が薄くなっている若しくは殆どない等の時、現像剤担持体のトナーが少ないまたは殆どない部分と除電部材の間で、過剰に電位差が生じて、過電流が流れたり、放電現象が発生し、トナーを劣化させたり、除電部材や現像剤担持体等の現像器部材を劣化するのを防止できない。
【００３４】
さらに、従来の技術では、除電電流は現像剤担持体上のトナー層電流値以上であれば除電効果が十分に得られ、残像が発生しないとしているが、実際には除電部材とトナーとの摩擦帯電による電荷移動があるために実際の必要除電電流よりも過剰な設定になる傾向（−１０〜−１００μＡ程度）にあり、十分に除電効果は得られるが、上述したように除電部材と現像剤担持体の間で、部分的に過電流が流れたり、放電現象が発生し、トナーを劣化させたり、除電部材や現像剤担持体等の現像器部材を劣化させるのを防止できない。また、除電効果が高すぎると、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生するのを防止できない。
【００３５】
さらに、従来の技術では、除電部材と現像剤担持体の押圧力に具体的な規定が無いので、強く除電部材を現像剤担持体に当てすぎて、現像後の現像剤担持体上に残留するトナーの電荷を過剰に除電してしまう場合がある。そのため、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生するのを防止できない。
【００３６】
また、強く当てすぎた場合、除電過剰に加えて、現像剤担持体上のトナー層が除電部材を通過できない問題も出てきたり、除電部材と現像剤担持体のニップ部で摩擦による熱が発生し、トナーを劣化させたり、除電部材または現像剤担持体のニップ表面にトナーを融着させて、これにより現像剤担持体を傷つけて、スジや濃度ムラ等の画像障害を起こすという問題がある。逆に、除電部材を弱く現像剤担持体に当てた場合は、除電効果が低く、残像が出る問題がある。この場合、除電部材、現像剤担持体上のトナー層、現像剤担持体の電気抵抗とトナー層の電荷量に見合うだけ、除電部材と現像剤担持体の間に電位差を持たせるとしているが、除電部材の押圧力が弱い場合は、摩擦帯電能力の高い除電部材を用いない限り、除電効果を高めるためには、過剰に除電部材と現像剤担持体の間に電位差を持たせなければならないため、除電部材と現像剤担持体の間で放電が起こりやすくなり、各種部材を劣化させてしまうのを防止できない。このように、除電部材の摩擦帯電特性により、除電効果が高すぎたり、低すぎたりし、適当な除電効果にすることが困難である。
【００３７】
従来の技術では、除電効果を出すために、除電部材に所定の電位を印加して除電部材と現像剤担持体の間に電位差を設けているが、この電位差は現像剤担持体上のトナー、除電部材、現像剤担持体等の抵抗値と現像剤担持体上の現像剤（トナー）の帯電量のみで決められており、除電部材の帯電能力が考慮されて無い。除電部材は選択する材料によって帯電能力が違うので、例えば該帯電能力が高いにも関わらず、除電部材、トナー、現像剤担持体の電気抵抗が高くした場合、過剰の電位差をとってしまうため、過剰に現像剤担持体上のトナーを除電しすぎてしまい、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生してしまう。
【００３８】
従来の技術では、現像剤担持体上に電気抵抗値が１０6〜１０9Ω（トナー層厚が０．４〜１．３ｍｇ／ｃｍ2）のトナー層がある時は問題無いが、現像後にトナー層が薄くなっている若しくは殆どない場合は、現像剤担持体と除電部材に所定の電位差を保つことが困難で、現像剤担持体のトナーが少ないまたは殆どない部分と除電部材の間で、過剰に電位差が生じて、過電流が流れたり、放電現象が発生し、トナーを劣化させたり、除電部材や現像剤担持体等の現像器部材を劣化させてしまう。
【００３９】
また、従来の技術では、除電部材の電気抵抗は１０-5〜１０-6Ωと低抵抗であるため、現像剤担持体、およびトナーの抵抗値が高い場合、除電部材と現像剤担持体の電位差を高く設定することになり、また、現像後に現像剤担持体上のトナーが殆ど無い場合は、現像剤担持体と除電部材の電位差が過剰に大きくなる場合があり、上述したように除電部材と現像剤担持体の間で、過電流が流れたり、放電現象が発生し、トナーを劣化させたり、除電部材や現像剤担持体等の現像器部材を劣化させるのを防止できない。
【００４０】
逆に、除電部材、トナー、現像剤担持体の電気抵抗が低い場合、除電部材と現像剤担持体の電位差は小さくするとしているが、除電部材の摩擦帯電能力が小さい場合、殆ど現像剤担持体上のトナーが除電されない。したがって、除電部材の摩擦帯電能力の大きさによって、過剰に除電したり、除電不足が発生し、適当な除電効果を出すことができない。
【００４１】
従来の技術では、除電部材の強度が明確に規定されていないので、強度的に除電部材が弱い場合、現像剤担持体上のトナーにより摩耗したり、引き裂いたりして、その部分にト
ナーが堆積、固着して、その部分での現像剤担持体を削ってしまう。この問題に対して、トナーの内部摩擦係数μｔ、トナーと現像剤担持体との摩擦係数μｒｔ、トナーと除電部材との摩擦係数μｄｔがμｄｔ＜μｔ＜μｒｔであるとするとしているが、実際には、現像剤担持体上のトナーが完全に除電部材上を滑って通過するものではないので、柔らかい除電部材であれば、トナーの外添剤により除電部材を摩耗したり、引き裂かれたりしてしまう。
【００４２】
さらには、除電部材と現像剤担持体の間に電位差を設けるため、除電部材にも電位をかける必要があり、電源が余分に必要であり、低コスト化、小型化ができない。
【００４３】
また、従来の技術では、除電部材をトナーよりも帯電系列上、トナーの正規の帯電極性と同極性側に片寄った材料にするとし、除電部材と現像剤担持体に電位差を設けるとしているが、前述したように、これだけでは、除電部材のトナーとの摩擦帯電能力が考慮されていないため、具体的には摩擦帯電能力に応じた除電電流値、除電部材と現像剤担持体の電位差が設定されてないため、過剰に除電したり、除電不足になったり、除電部材と現像剤担持体の間に過剰な電位差ができ、除電部材、現像剤担持体等の各種部材を劣化させるのを防止できない。
【００４４】
また、これらの問題に対して、現像剤を所定層厚形成した現像剤担持体が黒画像現像を行った後、現像剤供給部材によって現像剤を供給し、現像剤層規制部材により再び所定層厚となるよう形成した時の現像剤担持体が担持している現像剤の平均体積粒径をＤｂｋとし、現像剤を所定層厚形成した現像剤担持体が白画像現像を行った後、前記現像剤供給部材によって現像剤を供給し、現像剤層規制部材により再び所定層厚となるよう形成した時の現像剤担持体が担持している現像剤の平均体積粒径をＤｗｔとした場合、Ｄｗｔ／Ｄｂｋ＞０．８を満足させることにより、現像の残像、ゴーストを解消できるとしているが、この技術だけにたよると、現像を行うに当たって、粒径選択が必ず起こるので、現像剤（トナー）の粒径および帯電量分布をかなりシャープにしなければならず、分級等にかなりトナー製造コストがかかるのが避けられず、また、こうして製造したトナーでも接触式の非磁性一成分の現像方式では、トナーにかなりのストレスがかかり、経時での粒径および帯電量分布をシャープに維持することが困難であり、耐久性に問題がある。
【００４５】
そこで、本発明は、小型化、低価格化、現像剤担持体等の現像器部材の長寿命化が可能で、かつ現像ゴースト、残像を防止でき、過剰な除電による白スジ、濃度ムラ等の画像不良を防止できる現像装置及び画像形成方法を提供することを目的とする。
【課題を解決するための手段】
【００４６】
この課題を解決するために、本発明の現像装置は、静電潜像を担持する回転可能な像担持体と、前記像担持体に接触して配置されて一成分の現像剤を担持する回転可能で導電性を有する現像剤担持体、および前記現像剤担持体への電圧供給手段を含み、前記静電潜像を顕像化する現像手段と、前記現像剤担持体と前記像担持体とが接触する現像位置よりも現像剤担持体回転方向の上流側に配置され、現像剤を帯電するとともに前記現像剤担持体上の現像剤層厚を規制する帯電部材、および前記帯電部材への電圧供給手段を含む帯電手段と、前記現像位置よりも現像剤担持体回転方向の下流側に配置され、前記現像位置での現像後において前記現像剤担持体上に残留する現像剤の電荷を除電する除電部材、および前記除電部材への電圧供給手段を含む除電手段とを備え、前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制したものであり、この構成により、除電部材の摩擦帯電による現像剤担持体上のトナーの除電を考慮した除電電流値とすることができ、トナー層電流値以上（−５μＡ以下（負帯電の場合）、５μＡ以上（正帯電の場合））の過剰な除電電流値にならずとも、現像ゴースト、残像等の画像
不具合を防止できると共に、除電部材への過剰な除電電流が流れないので、除電部材と現像剤担持体の間で、部分的に過電流が流れたり、放電現象が発生し、トナーを劣化させたり、除電部材や現像剤担持体等の現像器部材を劣化させるのを防止できるようにした現像器を得ることができるものである。また、過剰な除電を防止でき、逆極および弱帯電トナーの発生を低減できるので、現像剤担持体上のトナー層厚ムラによる濃度ムラが発生したり、この逆極および弱帯電トナーが現像剤供給部材の目の中に多量に入り込んで現像剤供給部材を硬化させ、その現像剤供給部材が現像剤担持体を削ったりすることを防止できる。さらに除電後も、過剰に現像剤供給部材により現像剤担持体上のトナーを掻き取らないので、現像剤供給部材からトナーを現像剤担持体に供給された後に、トナーホッパからの未帯電トナーが供給されても、ある程度の帯電量を保ったトナー層があり、現像剤担持体自身のトナー搬送力も強く、トナーの軟凝集物が帯電部材に引っかかるのを防止し、画像上に白筋が発生するのを防止できるようにした現像器を得ることができるものである。
【００４７】
なお、除電電流値が−１．５μＡ以上（負帯電の場合）あるいは１．５μＡ以下（正帯電の場合）になると、現像後の現像剤担持体上のトナーの除電不足により現像によるゴースト、残像が悪化し、−５．０μＡを下回るか（負帯電の場合）５μＡを上回ると（正帯電の場合）現像後の現像剤担持体上のトナーの過剰除電により、前述したようにゴーストおよび残像は良好になるが現像器部材劣化や画像上に白筋等の不具合が発生するものである。なお、ここでの除電部材の材料は、特に限定するものでは無く、ポリテトラフルオロエチレン（ＰＴＦＥ）等の樹脂からＳＵＳ等の金属まで種々の材料が使用可能である。
【００４８】
また、本発明の現像装置は、静電潜像を担持する回転可能な像担持体と、前記像担持体に接触して配置されて一成分の現像剤を担持する回転可能で導電性を有する現像剤担持体、および前記現像剤担持体への電圧供給手段を含み、前記静電潜像を顕像化する現像手段と、前記現像剤担持体と前記像担持体とが接触する現像位置よりも現像剤担持体回転方向の上流側に配置され、現像剤を帯電するとともに前記現像剤担持体上の現像剤層厚を規制する帯電部材、および前記帯電部材への電圧供給手段を含む帯電手段と、前記現像位置よりも現像剤担持体回転方向の下流側に配置され、前記現像位置での現像後において前記現像剤担持体上に残留する現像剤の電荷を除電する除電部材、および前記除電部材と接地との間に設けられて現像剤担持体と除電部材の間に電界を与える接地抵抗を含む除電手段とを備え、前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制したものであり、現像剤担持体と接地の間に中抵抗の除電部材と接地抵抗を設けて、抵抗分割により、除電部材に電位を与えることができるので、除電部材への電位供給のための電源を不要とできる現像器を得るものである。この接地抵抗は、先に述べた除電電流を規制する（−５．０μＡ以上（負帯電の場合）、５．０μＡ以下（正帯電の場合））ために２０ＭΩ以上、より好ましくは４０ＭΩ以上が好ましい。これにより過剰な除電電流を防止でき、現像剤部材の劣化を防止できるようにした現像器を得るものである。
【００４９】
また、接地抵抗値を現像剤担持体上の現像剤層の電気抵抗値よりも高く設定するとしたものであり、この構成により、除電部材と現像剤担持体の間で、過剰に電位差が生じて、部分的に過電流が流れたり、放電現象が発生したり、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止できるようにした現像器を得ることができるものである。
【００５０】
また、除電部材の現像剤担持体に当接する表面が、帯電系列上において現像剤よりもこの現像剤の正規の帯電極性と同極性側に片寄った材料で形成したものであり、この構成に
より、除電部材の帯電能力確保ができるので、トナー劣化や現像器部材等の劣化の要因となる過剰な除電電流値（−５．０μＡ以下（負帯電の場合）、５．０μＡ以上（正帯電の場合））にしなくとも、除電部材と現像剤担持体の電位差を大きくしなくとも現像ゴーストや残像を防止できるようにした現像器を得ることができるものである。
【００５１】
この除電部材は、トナー漏れ防止のシール部材を兼ねていても良く、それとは別途設けられてもよい。前記トナーよりも帯電系列上、該トナーの正規の帯電極性と同極性側に片寄った材料としては、負帯電トナーに対しては、ポリテトラフルオロエチレン（ＰＴＦＥ）、四フッ化エチレン、ポリフッ化ビニリデン（ＰＶＤＦ）、４フッ化エチレン・パーフロロプロピルビニルエーテル（ＰＦＡ）等のフッ素樹脂を例示でき、また、正帯電トナーに対してはポリアミド（ナイロン）、シリコン系樹脂を例示できる。これら材料に抵抗調整するものとして、分散させる導電性良好な材料として、カーボン、各種導電性金属粒子等のほか、適当な荷電制御物質も例示できる。なお、この分散は荷電制御物質を塗布することも含むものである。
【００５２】
また、除電部材がフッ素系樹脂の中でも特に帯電能力が高いポリフッ化ビニリデン（ＰＶＤＦ）または４フッ化エチレン・パーフロロプロピルビニルエーテル（ＰＦＡ）系樹脂としたものであり、この構成により、さらに除電部材の帯電能力を向上させることができるので、トナー劣化や現像器部材等の劣化の要因となる過剰な除電電流値（−５．０μＡ以下（負帯電の場合）、５．０μＡ以上（正帯電の場合））と除電部材と現像剤担持体の電位差をさらに低減可能にし、現像ゴーストや残像の防止と両立できるようにした現像器を得ることができるものである。
【００５３】
また、除電部材の表面抵抗値をＥ４〜Ｅ９Ω・ｃｍとしたものであり、この構成により、トナー層の電気抵抗値と同等以上に除電部材の電気抵抗値に設定するので、除電部材と現像剤担持体の間で、過剰に電位差が生じて、部分的に過電流が流れたり、放電現象が発生したり、現像後に現像剤担持体上のトナーが少なくなっているまたはトナーが殆どない部分に、過剰に電位差が生じて、部分的に過電流が流れたり、放電現象が発生したりするのを低減させることができ、トナーを劣化させたり、除電部材や現像剤担持体等の現像器部材を劣化するのを防止できるようにした現像器を得るものである。この抵抗値は、好ましくは、Ｅ５〜Ｅ７Ω・ｃｍである。これにより、安定した除電と放電による現像器部材劣化の両立の精度向上を図れるものである。Ｅ４〜Ｅ５Ω・ｃｍ以下では、前述したように除電効果は高くなるが、放電による現像器部材劣化の可能性が大きくなる。Ｅ７〜Ｅ９Ω・ｃｍ以上では、放電による現像器部材劣化の可能性は少なくなるが、除電効果が低下するものである。
【００５４】
また、除電電流がＡｊ、帯電部材通過後の現像剤担持体上の現像剤の帯電量がＱ／Ｍのとき、３．０≦（Ｑ／Ｍ）／Ａｊ≦１２．０であるとしたものであり、この構成により、除電部材の摩擦帯電による現像剤担持体上のトナーの除電とトナー層帯電量の電流両者を考慮した除電電流値とすることができ、除電の精度向上を図ることができるので、現像ゴースト、残像等の画像不具合防止の精度向上を図れると共に、必要最低限の除電効果を得るための除電電流となるので、トナー層電流値以上（−５．０μＡ以下（負帯電の場合）、５．０μＡ以上（正帯電の場合））の過剰な除電電流値にならず、除電部材への過剰な除電電流が流れないので、除電部材と現像剤担持体の間で、部分的に過電流が流れたり、放電現象が発生し、トナーを劣化させたり、除電部材や現像剤担持体等の現像器部材を劣化させるのを防止できるようにした現像器を得ることができるものである。また、過剰な除電防止のさらなる精度向上が図ることができ、逆極および弱帯電トナーの発生を精度良く低減できるので、現像剤担持体上のトナー層厚ムラによる濃度ムラが発生したり、この逆極および弱帯電トナーが現像剤供給部材の目の中に多量に入り込んで現像剤供給部材を硬化させ、その現像剤供給部材が現像剤担持体を削ったりすることをさらなる防止を図る
ことができる。さらに除電後も、過剰に現像剤供給部材により現像剤担持体上のトナーを掻き取らないので、現像剤供給部材からトナーを現像剤担持体に供給された後に、トナーホッパからの未帯電トナーが供給されても、ある程度の帯電量を保ったトナー層があり、現像剤担持体自身のトナー搬送力も強く、トナーの軟凝集物が帯電部材に引っかかるのを防止し、画像上の白筋発生のさらなる防止をできるようにした現像器を得ることができるものである。
【００５５】
また、除電部材と現像剤担持体の接触ニップ幅が２ｍｍ以下、現像剤の内部摩擦係数がμｔ、現像剤と現像剤担持体との摩擦係数がμｒｔ、現像剤と除電部材との摩擦係数がμｊｔのとき、μｊｔ＜μｔ＜μｒｔとしたものであり、この構成により、現像剤担持体上のトナーが除電部材表面に接触時間を短くし、現像剤担持体とトナーおよびトナー同士の摩擦抵抗よりも除電部材とトナーの摩擦抵抗を小さくしたことにより、除電部材ニップ部にトナーが滞まることがなく、トナーを回収でき、かつ除電部材ニップ部の発熱も少なくなるので、除電部材へのトナー固着を防止できるようにした現像装置を得ることができるものである。
【００５６】
また、除電部材の引っ張り強度が１ＭＰａ以上であるとしたものであり、この構成により、現像剤担持体上のトナーの外添剤等により、除電部材ニップ部を過剰に摩耗したり、引き裂いたりしないので、除電部材ニップ部にトナーが堆積、固着して、その部分での現像剤担持体を削るのを防止できるようにした現像器を得るものである。
【００５７】
なお、除電部材の引っ張り強度が１ＭＰａ以下では、現像剤担持体上のトナーの外添剤等により、除電部材ニップ部を過剰に摩耗したり、引き裂いたりする不具合が発生してしまうものである。
【００５８】
また、現像剤担持体と除電部材の間に、前記現像剤担持体と前記除電部材とに所定の電位差以上に電界が働くことを規制するツエナーダイオードを設けたものであり、この構成により、除電部材と現像剤担持体の間で、過剰に電位差が生じて、部分的に過電流が流れたり、放電現象が発生したり、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止できるようにした現像器を得ることができるものである。また、除電部材と現像剤担持体の間での電位差が大きくなり、過剰な除電により、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生する問題を防止できるようにした現像装置を得るものである。
【００５９】
また、ツエナーダイオードにより１００Ｖ以下の電位差に規制するようにしたものであり、より好ましくは７０Ｖ以下である。この構成により、除電部材と現像剤担持体の間での電位差を１００Ｖ以下にしたことにより、除電部材と現像剤担持体の間での放電開始電圧になるのを防止することができるので、除電部材と現像剤担持体の間で、過剰に電位差が生じて、部分的に過電流が流れたり、放電現象が発生したり、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのをさらに防止できるようにした現像器を得
ることができるものである。また、過剰な除電により、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生する問題を防止できるようにした現像器を得るものである。なお、このツエナーダイオード電圧値は、トナーの平均帯電量が低い程、有効であり、平均帯電量が２０μＣ／ｇ以下であれば、５０Ｖ以下が好ましい。
【００６０】
また、現像剤担持体と除電部材の押圧力を引っ張り荷重３０〜１００ｇｆ以下としたものであり、この構成により、強く除電部材を現像剤担持体に当てすぎて、現像後の現像剤担持体上に残留するトナーの電荷を過剰に除電して前述した不具合を発生させたり、現像剤担持体上のトナー層が除電部材を通過できず、トナー漏れを発生させたり、除電部材の押圧力が弱い場合は、摩擦帯電能力の高い除電部材を用いない限り、除電効果を高めるためには、過剰に除電部材と現像剤担持体の間に電位差を持たせなければならないため、除電部材と現像剤担持体の間で放電が起こりやすくなり、各種部材を劣化させてしまうのを防止でき、安定した除電と現像器部材劣化を防止できるようにした現像装置を得るものである。
【００６１】
また、現像剤の粒度分布および帯電量分布を狭くする、特にＣＶ＝１００×（標準偏差／平均値）と定義される体積粒径分布を現すＣＶ値［％］が２０％以内としたものであり、この構成により、現像の粒径選択による現像前後の粒径変動を少なくすることができるので、現像剤担持体上のトナーの比電荷変動を防止でき、現像ゴースト、残像を防止できる、かつ粒径選択の進行による現像器内の劣化トナー蓄積を防止できるので、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったりするのを防止できるようにした現像器を得るものである。
【００６２】
また、本発明の画像形成方法は、回転可能な像担持体上に静電潜像を形成し、前記像担持体に接触して回転可能に配置された現像剤担持体上に、帯電部材により所定電位に帯電されかつ層厚の規制された一成分の現像剤を設け、前記現像剤担持体上の前記現像剤を前記静電潜像に供給して当該静電潜像を現像し、現像後に、電圧供給手段により電位を与えられた除電部材により前記現像剤担持体上に残留する現像剤の電荷を除電する画像形成方法であって、前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制したものであり、この構成により、除電部材の摩擦帯電による現像剤担持体上のトナーの除電を考慮した除電電流値とすることができ、トナー層電流値以上（−５μＡ以下（負帯電の場合）、５μＡ以上（正帯電の場合））の過剰な除電電流値にならずとも、現像ゴースト、残像等の画像不具合を防止できると共に、除電部材への過剰な除電電流が流れないので、除電部材と現像剤担持体の間で、部分的に過電流が流れたり、放電現象が発生し、トナーを劣化させたり、除電部材や現像剤担持体等の現像器部材を劣化させるのを防止できるようにした画像形成方法を得ることができるものである。
【００６３】
また、過剰な除電を防止でき、逆極および弱帯電トナーの発生を低減できるので、現像剤担持体上のトナー層厚ムラによる濃度ムラが発生したり、この逆極および弱帯電トナーが現像剤供給部材の目の中に多量に入り込んで現像剤供給部材を硬化させ、その現像剤供給部材が現像剤担持体を削ったりすることを防止できる。さらに除電後も、過剰に現像剤
供給部材により現像剤担持体上のトナーを掻き取らないので、現像剤供給部材からトナーを現像剤担持体に供給された後に、トナーホッパからの未帯電トナーが供給されても、ある程度の帯電量を保ったトナー層があり、現像剤担持体自身のトナー搬送力も強く、トナーの軟凝集物が帯電部材に引っかかるのを防止し、画像上に白筋が発生するのを防止できるようにした画像形成方法を得ることができるものである。
【００６４】
なお、除電電流値が−１．５μＡ以上（負帯電の場合）、１．５μＡ以下（正帯電の場合）になると、現像後の現像剤担持体上のトナーの除電不足により現像によるゴースト、残像が悪化し、−５．０μＡを下回るか（負帯電の場合）、あるいは５μＡを上回ると（正帯電の場合）現像後の現像剤担持体上のトナーの過剰除電により、前述したようにゴーストおよび残像は良好になるが現像器部材劣化や画像上に白筋等の不具合が発生するものである。なお、ここでの除電部材の材料は、特に限定するものでは無く、ポリテトラフルオロエチレン（ＰＴＦＥ）等の樹脂からＳＵＳ等の金属まで種々の材料が使用可能である。
【００６５】
また、回転可能な像担持体上に静電潜像を形成し、前記像担持体に接触して回転可能に配置された現像剤担持体上に、帯電部材により所定電位に帯電されかつ層厚の規制された一成分の現像剤を設け、前記現像剤担持体上の前記現像剤を前記静電潜像に供給して当該静電潜像を現像し、現像後に、除電部材と接地との間に設けられて現像剤担持体と前記除電部材との間に電界を与える接地抵抗により前記現像剤担持体上に残留する現像剤の電荷を除電する画像形成方法であって、前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制したものであり、この構成により、現像剤担持体と接地の間に中抵抗の除電部材と接地抵抗を設けて、抵抗分割により、除電部材に電位を与えることができるので、除電部材への電位供給のための電源を不要とできる画像形成方法を得るものである。この接地抵抗は、先に述べた除電電流を規制する（−５．０μＡ以上（負帯電の場合）、５．０μＡ以下（正帯電の場合））ために２０ＭΩ以上、より好ましくは４０ＭΩ以上が好ましい。これにより過剰な除電電流を防止でき、現像剤部材の劣化を防止できるようにした画像形成方法を得るものである。
【００６６】
また、除電工程において、現像剤担持体上の現像剤層の電気抵抗値よりも高い接地抵抗器を使用するとしたものであり、この構成により、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止できるようにした画像形成方法を得ることができるものである。
【００６７】
また、除電工程では、除電部材の現像剤担持体に当接する表面が、現像剤よりも帯電系列上、該現像剤の正規の帯電極性と同極性側に片寄った材料で形成したものであり、この構成により、除電部材の帯電能力確保ができるので、トナー劣化や現像器部材等の劣化の要因となる過剰な除電電流値（−５．０μＡ以下（負帯電の場合）、５．０μＡ以上（正帯電の場合））にしなくとも、除電部材と現像剤担持体の電位差を大きくしなくとも現像ゴーストや残像を防止できるようにした画像形成方法を得ることができるものである。
【００６８】
前記除電部材は、トナー漏れ防止のシール部材を兼ねていても良く、それとは別途設けられてもよい。前記トナーよりも帯電系列上、該トナーの正規の帯電極性と同極性側に片寄った材料としては、負帯電トナーに対しては、ポリテトラフルオロエチレン（ＰＴＦＥ）、四フッ化エチレン、ポリフッ化ビニリデン（ＰＶＤＦ）、４フッ化エチレン・パーフロロプロピルビニルエーテル（ＰＦＡ）等のフッ素樹脂を例示でき、また、正帯電トナーに対してはポリアミド（ナイロン）、シリコン系樹脂を例示できる。
【００６９】
また、除電工程で除電部材に、フッ素系樹脂の中でも特に帯電能力が高いポリフッ化ビニリデン（ＰＶＤＦ）または４フッ化エチレン・パーフロロプロピルビニルエーテル（ＰＦＡ）系樹脂としたものであり、この構成により、さらに除電部材の帯電能力を向上させることができるので、トナー劣化や現像器部材等の劣化の要因となる過剰な除電電流値（−５．０μＡ以下（負帯電の場合）、５．０μＡ以上（正帯電の場合））と除電部材と現像剤担持体の電位差をさらに低減可能にし、現像ゴーストや残像の防止と両立できるようにした画像形成方法を得ることができるものである。
【００７０】
また、除電工程で、表面抵抗値がＥ４〜Ｅ９Ω・ｃｍである除電部材を使用するとしたものであり、この構成により、トナー層の電気抵抗値と同等以上に除電部材の電気抵抗値に設定するので、除電部材と現像剤担持体の間で、過剰に電位差が生じて、部分的に過電流が流れたり、放電現象が発生したり、現像後に現像剤担持体上のトナーが少なくなっているまたはトナーが殆どない部分に、過剰に電位差が生じて、部分的に過電流が流れたり、放電現象が発生したりするのを低減させることができ、トナーを劣化させたり、除電部材や現像剤担持体等の現像器部材を劣化するのを防止できるようにした画像形成方法を得るものである。この抵抗値は好ましくは、Ｅ５〜Ｅ７Ω・ｃｍである。これにより、安定した除電と放電による現像器部材劣化の両立の精度向上を図れるものである。Ｅ４〜Ｅ５Ω・ｃｍ以下では、前述したように除電効果は高くなるが、放電による現像器部材劣化の可能性が大きくなる。Ｅ７〜Ｅ９Ω・ｃｍ以上では、放電による現像器部材劣化の可能性は少なくなるが、除電効果が低下するものである。
【００７１】
また、除電および帯電工程において、除電電流がＡｊ、帯電部材通過後の現像剤担持体上の現像剤の帯電量がＱ／Ｍのとき、３．０≦（Ｑ／Ｍ）／Ａｊ≦１２．０になるようにしたものであり、この構成により、除電部材の摩擦帯電による現像剤担持体上のトナーの除電とトナー層帯電量の電流両者を考慮した除電電流値とすることができ、除電の精度向上を図ることができるので、現像ゴースト、残像等の画像不具合防止の精度向上を図れると共に、必要最低限の除電効果を得るための除電電流となるので、トナー層電流値以上（−５μＡ以下（負帯電の場合）、５μＡ以上（正帯電の場合））の過剰な除電電流値にならず、除電部材への過剰な除電電流が流れないので、除電部材と現像剤担持体の間で、部分的に過電流が流れたり、放電現象が発生し、トナーを劣化させたり、除電部材や現像剤担持体等の現像器部材を劣化させるのを防止できるようにした画像形成方法を得ることができるものである。また、過剰な除電防止のさらなる精度向上が図ることができ、逆極および弱帯電トナーの発生を精度良く低減できるので、現像剤担持体上のトナー層厚ムラによる濃度ムラが発生したり、この逆極および弱帯電トナーが現像剤供給部材の目の中に多量に入り込んで現像剤供給部材を硬化させ、その現像剤供給部材が現像剤担持体を削ったりすることをさらなる防止を図ることができる。さらに除電後も、過剰に現像剤供給部材により現像剤担持体上のトナーを掻き取らないので、現像剤供給部材からトナーを現像剤担持体に供給された後に、トナーホッパからの未帯電トナーが供給されても、ある程度の帯電量を保ったトナー層があり、現像剤担持体自身のトナー搬送力も強く、トナーの軟凝集物が帯電部材に引っかかるのを防止し、画像上の白筋発生のさらなる防止をできるようにした画像形成方法を得ることができるものである。
【００７２】
また、除電工程で除電部材と現像剤担持体の接触ニップ幅が２ｍｍ以下、現像剤の内部摩擦係数がμｔ、現像剤と現像剤担持体との摩擦係数がμｒｔ、現像剤と除電部材との摩擦係数がμｊｔとしたとき、μｊｔ＜μｔ＜μｒｔとしたものであり、この構成により、現像剤担持体上のトナーが除電部材表面に接触時間を短くし、現像剤担持体とトナーおよびトナー同士の摩擦抵抗よりも除電部材とトナーの摩擦抵抗を小さくしたことにより、除電部材ニップ部にトナーが滞まることがなく、トナーを回収でき、かつ除電部材ニップ部の発熱も少なくなるので、除電部材へのトナー固着を防止できるようにした画像形成方法
を得ることができるものである。
【００７３】
また、除電工程で除電部材の引っ張り強度を１ＭＰａ以上にするものであり、この構成により、現像剤担持体上のトナーの外添剤等により、除電部材ニップ部を摩耗したり、引き裂いたりしないので、除電部材ニップ部にトナーが堆積、固着して、その部分での現像剤担持体を削るのを防止できるようにした画像形成方法を得るものである。
【００７４】
なお、除電部材の引っ張り強度が１ＭＰａ以下では、現像剤担持体上のトナーの外添剤等により、除電部材ニップ部を過剰に摩耗したり、引き裂いたりする不具合が発生してしまうものである。
【００７５】
また、除電工程で現像剤担持体と除電部材の間にツエナーダイオードを設けて所定の電位差以上に電界が働かないようにしたものであり、この構成により、除電部材と現像剤担持体の間で、過剰に電位差が生じて、部分的に過電流が流れたり、放電現象が発生したり、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止できるようにした画像形成方法を得ることができるものである。また、除電部材と現像剤担持体の間での電位差が大きくなり、過剰な除電により、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生する問題を防止できるようにした画像形成方法を得るものである。
【００７６】
また、除電工程でツエナーダイオードにより１００Ｖ以下の電位差に規制するものであり、より好ましくは、７０Ｖ以下である。この構成により、除電部材と現像剤担持体の間での電位差を１００Ｖ以下にしたことにより、除電部材と現像剤担持体の間での放電開始電圧になるのを防止することができるので、除電部材と現像剤担持体の間で、過剰に電位差が生じて、部分的に過電流が流れたり、放電現象が発生したり、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのをさらに防止できるようにした画像形成方法を得ることができるものである。過剰な除電により、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生する問題を防止できるようにした画像形成方法を得るものである。なお、このツエナーダイオード電圧値は、トナーの平均帯電量が低い程有効であり、特に平均帯電量が２０μＣ／ｇ以下であれば、ツエナーダイオードは５０Ｖ以下が有効である。
【００７７】
また、除電工程において、現像剤担持体と除電部材の押圧力を引っ張り荷重３０〜１００ｇｆ以下としたものであり、この構成により、強く除電部材を現像剤担持体に当てすぎ
て、現像後の現像剤担持体上に残留するトナーの電荷を過剰に除電して前述した不具合を発生させたり、現像剤担持体上のトナー層が除電部材を通過できず、トナー漏れを発生させたり、除電部材の押圧力が弱い場合は、摩擦帯電能力の高い除電部材を用いない限り、除電効果を高めるためには、過剰に除電部材と現像剤担持体の間に電位差を持たせなければならないため、除電部材と現像剤担持体の間で放電が起こりやすくなり、各種部材を劣化させてしまうのを防止でき、安定した除電と現像器部材劣化を防止できるようにした画像形成方法を得るものである。
【００７８】
また、現像工程において、粒度分布および帯電量分布を狭くする、特にＣＶ＝１００×（標準偏差／平均値）と定義される体積粒径分布を現すＣＶ値［％］が２０％以内である現像剤を使用するとしたものであり、この構成により、現像の粒径選択による現像前後の粒径変動を少なくすることができるので、現像剤担持体上のトナーの比電荷変動を防止でき、現像ゴースト、残像を防止できる、かつ粒径選択の進行による現像器内の劣化トナー蓄積を防止できるので、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったりするのを防止できるようにした画像形成方法を得るものである。
【発明の効果】
【００７９】
本発明によれば、現像剤が負帯電の場合には除電部材に流れ込む除電電流を−１．５〜−５．０μＡに、現像剤が正帯電の場合には除電部材に流れ込む除電電流を１．５〜５．０μＡに規制したので、除電部材の摩擦帯電による現像剤担持体上のトナーの除電を考慮した除電電流値とすることができ、トナー層電流値以上（−５μＡ以下（負帯電の場合）、５．０μＡ以上（正帯電の場合））の過剰な除電電流値にならずとも、現像ゴースト、残像等の画像不具合を防止できると共に、除電部材への過剰な除電電流が流れないので、除電部材と現像剤担持体の間で、部分的に過電流が流れたり、放電現象が発生し、トナーを劣化させたり、除電部材や現像剤担持体等の現像器部材を劣化させるのを防止できるという有効な効果が得られる。
【００８０】
また、過剰な除電を防止でき、逆極および弱帯電トナーの発生を低減できるので、現像剤担持体上のトナー層厚ムラによる濃度ムラが発生したり、この逆極および弱帯電トナーが現像剤供給部材の目の中に多量に入り込んで現像剤供給部材を硬化させ、その現像剤供給部材が現像剤担持体を削ったりすることを防止できるという有効な効果が得られる。
【００８１】
さらに、除電後も、過剰に現像剤供給部材により現像剤担持体上のトナーを掻き取らないので、現像剤供給部材からトナーを現像剤担持体に供給された後に、トナーホッパからの未帯電トナーが供給されても、ある程度の帯電量を保ったトナー層があり、現像剤担持体自身のトナー搬送力も強く、トナーの軟凝集物が帯電部材に引っかかるのを防止し、画像上に白筋が発生するのを防止できるという有効な効果が得られる。
【００８２】
また、除電部材に電位を与える電圧供給手段の代わりに、除電部材と接地の間に所定の接地抵抗を設けて、現像剤担持体と除電部材の間に電界を与えることにより、現像剤担持体と接地の間に中抵抗の除電部材と接地抵抗を設けて、抵抗分割により、除電部材に電位を与えることができるので、除電部材への電位供給のための電源を不要とでき、低コスト、小型化を可能にできるという有効な効果が得られる。
【００８３】
また、接地抵抗値を現像剤担持体上の現像剤層の電気抵抗値よりも高く設定することにより、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止でき
るという有効な効果が得られる。
【００８４】
また、除電部材の現像剤担持体に当接する表面が、現像剤よりも帯電系列上、現像剤の正規の帯電極性と同極性側に片寄った材料で形成することにより、除電部材の帯電能力確保ができるので、トナー劣化や現像器部材等の劣化の要因となる過剰な除電電流値（−５．０μＡ以下（負帯電の場合）、５．０μＡ以上（正帯電の場合））にしなくとも、除電部材と現像剤担持体の電位差を大きくしなくとも現像ゴーストや残像を防止できるという有効な効果が得られる。
【００８５】
また、除電部材をフッ素系樹脂の中でも特に帯電能力が高いポリフッ化ビニリデン（ＰＶＤＦ）または４フッ化エチレン・パーフロロプロピルビニルエーテル（ＰＦＡ）系樹脂とすることにより、さらに除電部材の帯電能力を向上させることができるので、トナー劣化や現像器部材等の劣化の要因となる過剰な除電電流値（−５．０μＡ以下（負帯電の場合）、５．０μＡ以上（正帯電の場合））と除電部材と現像剤担持体の電位差をさらに低減可能にし、現像ゴーストや残像の防止と両立できるという有効な効果が得られる。
【００８６】
また、除電部材の表面抵抗値をＥ４〜Ｅ９Ω・ｃｍ、より好ましくはＥ５〜Ｅ７Ω・ｃｍとすることにより、トナー層の電気抵抗値と同等以上に除電部材の電気抵抗値に設定するので、除電部材と現像剤担持体の間で、過剰に電位差が生じて、部分的に過電流が流れたり、放電現象が発生したり、現像後に現像剤担持体上のトナーが少なくなっているまたはトナーが殆どない部分に、過剰に電位差が生じて、部分的に過電流が流れたり、放電現象が発生したりするのを低減させることができ、トナーを劣化させたり、除電部材や現像剤担持体等の現像器部材を劣化するのを防止できるという有効な効果が得られる。
【００８７】
また、除電電流がＡｊ、帯電部材通過後の現像剤担持体上の現像剤の帯電量がＱ／Ｍのとき、３．０≦（Ｑ／Ｍ）／Ａｊ≦１２．０とすることにより、除電部材の摩擦帯電による現像剤担持体上のトナーの除電とトナー層帯電量の電流両者を考慮した除電電流値とすることができ、除電の精度向上を図ることができるので、現像ゴースト、残像等の画像不具合防止の精度向上を図れると共に、必要最低限の除電効果を得るための除電電流となるので、トナー層電流値以上（−５μＡ以下（負帯電の場合）、５μＡ以上（正帯電の場合））の過剰な除電電流値にならず、除電部材への過剰な除電電流が流れないので、除電部材と現像剤担持体の間で、部分的に過電流が流れたり、放電現象が発生し、トナーを劣化させたり、除電部材や現像剤担持体等の現像器部材を劣化させるのを防止できるという有効な効果が得られる。また、過剰な除電防止のさらなる精度向上が図ることができ、逆極および弱帯電トナーの発生を精度良く低減できるので、現像剤担持体上のトナー層厚ムラによる濃度ムラが発生したり、この逆極および弱帯電トナーが現像剤供給部材の目の中に多量に入り込んで現像剤供給部材を硬化させ、その現像剤供給部材が現像剤担持体を削ったりすることをさらなる防止を図ることができる。さらに除電後も、過剰に現像剤供給部材により現像剤担持体上のトナーを掻き取らないので、現像剤供給部材からトナーを現像剤担持体に供給された後に、トナーホッパからの未帯電トナーが供給されても、ある程度の帯電量を保ったトナー層があり、現像剤担持体自身のトナー搬送力も強く、トナーの軟凝集物が帯電部材に引っかかるのを防止し、画像上の白筋発生のさらなる防止をできるという有効な効果が得られる。
【００８８】
また、除電部材と現像剤担持体の接触ニップ幅が２ｍｍ以下、現像剤の内部摩擦係数がμｔ、現像剤と現像剤担持体との摩擦係数がμｒｔ、現像剤と除電部材との摩擦係数がμｊｔのとき、μｊｔ＜μｔ＜μｒｔとしたことにより、現像剤担持体上のトナーが除電部材表面に接触時間を短くし、現像剤担持体とトナーおよびトナー同士の摩擦抵抗よりも除電部材とトナーの摩擦抵抗を小さくしたことにより、除電部材ニップ部にトナーが滞まることがなく、トナーを回収でき、かつ除電部材ニップ部の発熱も少なくなるので、除電部
材へのトナー固着を防止できるという有効な効果が得られる。
【００８９】
また、除電部材の引っ張り強度が１ＭＰａ以上としたことにより、現像剤担持体上のトナーの外添剤等により、除電部材ニップ部を過剰に摩耗したり、引き裂いたりしないので、除電部材ニップ部にトナーが堆積、固着して、その部分での現像剤担持体を削るのを防止できるという有効な効果が得られる。
【００９０】
また、現像剤担持体と除電部材の間にツエナーダイオードを設けて所定の電位差以上に電界が働かないようにしたことにより、除電部材と現像剤担持体の間で、過剰に電位差が生じて、部分的に過電流が流れたり、放電現象が発生したり、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止できるという有効な効果が得られる。
【００９１】
また、除電部材と現像剤担持体の間での電位差が大きくなり、過剰な除電により、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生する問題を防止できるという有効な効果が得られる。
【００９２】
また、ツエナーダイオードで１００Ｖ以下、より好ましくは７０Ｖ以下の電位差に規制したことにより、除電部材と現像剤担持体の間での放電開始電圧になるのを防止することができるので、除電部材と現像剤担持体の間で、過剰に電位差が生じて、部分的に過電流が流れたり、放電現象が発生したり、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのをさらに防止できるという有効な効果が得られる。過剰な除電により、逆極および弱帯電トナーを多量に作り、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったり、除電後、過剰に現像剤供給部材により現像剤担持体上のトナーを掻き取るために、現像剤供給部材からトナーを現像剤担持体に供給された後は、トナーホッパからの未帯電トナーが多く、トナーの帯電量が低いため、現像剤担持体自身のトナー搬送力が弱くなるので、トナーの軟凝集物が帯電部材に引っかかりやすく、画像上に白筋が発生する問題を防止できるという有効な効果が得られる。なお、これらは、トナーの平均帯電量が低い程、有効であり、特にトナーの平均帯電量２０μＣ／ｇ以下であれば、ツエナー電圧は５０Ｖ以下が有効である。
【００９３】
また、現像剤担持体と除電部材の押圧力を引っ張り荷重３０〜１００ｇｆ以下としたことにより、強く除電部材を現像剤担持体に当てすぎて、現像後の現像剤担持体上に残留するトナーの電荷を過剰に除電して前述した不具合を発生させたり、現像剤担持体上のトナー層が除電部材を通過できず、トナー漏れを発生させたり、除電部材の押圧力が弱い場合は、摩擦帯電能力の高い除電部材を用いない限り、除電効果を高めるためには、過剰に除電部材と現像剤担持体の間に電位差を持たせなければならないため、除電部材と現像剤担持体の間で放電が起こりやすくなり、各種部材を劣化させてしまうのを防止でき、安定した除電と現像器部材劣化を防止できるという有効な効果が得られる。
【００９４】
また、現像剤の粒度分布および帯電量分布を狭くする、特にＣＶ＝１００×（標準偏差／平均値）と定義される体積粒径分布を現すＣＶ値［％］が２０％以内としたことにより、現像の粒径選択による現像前後の粒径変動を少なくすることができるので、現像剤担持体上のトナーの比電荷変動を防止でき、現像ゴースト、残像を防止できる、かつ粒径選択の進行による現像器内の劣化トナー蓄積を防止できるので、現像剤担持体上のトナー層厚のムラによる濃度ムラを発生させたり、これらの逆極および弱帯電トナーが現像剤供給部材の目の中に多量に入り込んで現像剤供給部材を硬化させ、その現像剤供給部材が現像剤担持体を削ったりするのを防止できるという有効な効果が得られる。
【発明を実施するための最良の形態】
【００９５】
本発明の請求項１に記載の発明は、静電潜像を担持する回転可能な像担持体と、前記像担持体に接触して配置されて一成分の現像剤を担持する回転可能で導電性を有する現像剤担持体、および前記現像剤担持体への電圧供給手段を含み、前記静電潜像を顕像化する現像手段と、前記現像剤担持体と前記像担持体とが接触する現像位置よりも現像剤担持体回転方向の上流側に配置され、現像剤を帯電するとともに前記現像剤担持体上の現像剤層厚を規制する帯電部材、および前記帯電部材への電圧供給手段を含む帯電手段と、前記現像位置よりも現像剤担持体回転方向の下流側に配置され、前記現像位置での現像後において前記現像剤担持体上に残留する現像剤の電荷を除電する除電部材、および前記除電部材への電圧供給手段を含む除電手段とを備え、前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制した現像装置であり、これにより、除電部材の摩擦帯電による現像剤担持体上のトナーの除電を考慮した除電電流値とすることができ、トナー層電流値以上（−５μＡ以下（負帯電の場合）、５μＡ以上（正帯電の場合））の過剰な除電電流値にならずとも、現像ゴースト、残像等の画像不具合を防止できるという作用を有する。また、過剰な除電を防止でき、逆極および弱帯電トナーの発生を低減できるという作用を有する。さらに除電後も、過剰に現像剤供給部材により現像剤担持体上のトナーを掻き取らないので、現像剤担持体上のトナーの搬送力を確保できるという作用を有する。なお、ここでの除電部材の材料は、特に限定するものでは無く、ポリテトラフルオロエチレン（ＰＴＦＥ）等の樹脂からＳＵＳ等の金属まで種々の材料が使用可能である。
【００９６】
請求項２に記載の発明は、静電潜像を担持する回転可能な像担持体と、前記像担持体に接触して配置されて一成分の現像剤を担持する回転可能で導電性を有する現像剤担持体、および前記現像剤担持体への電圧供給手段を含み、前記静電潜像を顕像化する現像手段と、前記現像剤担持体と前記像担持体とが接触する現像位置よりも現像剤担持体回転方向の上流側に配置され、現像剤を帯電するとともに前記現像剤担持体上の現像剤層厚を規制する帯電部材、および前記帯電部材への電圧供給手段を含む帯電手段と、前記現像位置よりも現像剤担持体回転方向の下流側に配置され、前記現像位置での現像後において前記現像剤担持体上に残留する現像剤の電荷を除電する除電部材、および前記除電部材と接地との間に設けられて現像剤担持体と除電部材の間に電界を与える接地抵抗を含む除電手段とを備え、前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制した現像装置であり、これにより、現像剤担持体と接地の間に中抵抗の除電部材と接地抵抗を設けて、抵抗分割により、除電部材に電位を与えることができるので、除電部材への電位供給のための電源を不要とできるという作用を有する。この接地抵抗は、先に述べた除電電流を規制する（−５．０μＡ以上（負帯電の場合）、５．０μＡ以下（正帯電の場合））ために２０ＭΩ以上、より好ましくは４０ＭΩ以上が好ましい。これにより過剰な除電電流を防止できるという作用を有する。
【００９７】
請求項３に記載の発明は、請求項２記載の発明において、前記接地抵抗値が前記現像剤担持体上の現像剤層の電気抵抗値よりも高く設定されている現像装置であり、これにより、現像後、前記現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止するという作用を有する。
【００９８】
請求項４に記載の発明は、請求項１〜３の何れか一項に記載の発明において、前記除電部材の前記現像剤担持体に当接する表面が、帯電系列上において前記現像剤よりも前記現像剤の正規の帯電極性と同極性側に片寄った材料で形成されている現像装置であり、これにより除電部材の帯電能力確保ができるので、トナー劣化や現像器部材等の劣化の要因となる過剰な除電電流値（−５．０μＡ以下（負帯電の場合）、５．０μＡ以上（正帯電の場合））にしなくとも、除電部材と現像剤担持体の電位差を大きくしなくとも現像ゴーストや残像を防止できるという作用を有する。
【００９９】
請求項５に記載の発明は、請求項１〜４の何れか一項に記載の発明において、前記除電部材は、ポリフッ化ビニリデン（ＰＶＤＦ）または４フッ化エチレン・パーフロロプロピルビニルエーテル（ＰＦＡ）系樹脂である現像装置であり、これにより、さらに除電部材の帯電能力を向上させることができるので、トナー劣化や現像器部材等の劣化の要因となる過剰な除電電流値（−５．０μＡ以下（負帯電の場合）、５．０μＡ以上（正帯電の場合））と除電部材と現像剤担持体の電位差をさらに低減可能にし、現像ゴーストや残像の防止と両立できるという作用を有する。
【０１００】
請求項６に記載の発明は、請求項１〜５の何れか一項に記載の発明において、前記除電部材の表面抵抗値がＥ４〜Ｅ９Ω・ｃｍとした現像装置であり、これにより、トナー層の電気抵抗値と同等以上に除電部材の電気抵抗値に設定するので、除電部材と現像剤担持体の間で、過剰に電位差が生じて、部分的に過電流が流れたり、放電現象が発生したり、現像後に現像剤担持体上のトナーが少なくなっているまたはトナーが殆どない部分に、過剰に電位差が生じて、部分的に過電流が流れたり、放電現象が発生したりするのを低減させるという作用を有する。
【０１０１】
請求項７に記載の発明は、請求項１〜６の何れか一項に記載の発明において、前記除電電流がＡｊ、前記帯電部材通過後の現像剤担持体上の前記現像剤の帯電量がＱ／Ｍのとき、３．０≦（Ｑ／Ｍ）／Ａｊ≦１２．０である現像装置であり、これにより、前記除電部材の摩擦帯電による現像剤担持体上のトナーの除電とトナー層帯電量の電流両者を考慮した除電電流値とすることができ、除電の精度向上を図ることができるので、現像ゴースト、残像等の画像不具合防止の精度向上を図れると共に、必要最低限の除電効果を得るための除電電流となるので、トナー層電流値以上（−５μＡ以下（負帯電の場合）、５μＡ以上（正帯電の場合））の過剰な除電電流値にならず、除電部材への過剰な除電電流が流れないので、除電部材と現像剤担持体の間で、部分的に過電流が流れたり、放電現象が発生し、トナーを劣化させたり、除電部材や現像剤担持体等の現像器部材を劣化させるのを防止できるという作用を有する。さらに除電後も、過剰に現像剤供給部材により現像剤担持体上のトナーを掻き取らないので、現像剤担持体上のトナーの搬送力を確保できるという作用を有する。
【０１０２】
請求項８に記載の発明は、請求項１〜７の何れか一項に記載の発明において、前記除電部材と前記現像剤担持体の接触ニップ幅が２ｍｍ以下、前記現像剤の内部摩擦係数がμｔ、前記現像剤と前記現像剤担持体との摩擦係数がμｒｔ、前記現像剤と前記除電部材との摩擦係数がμｊｔのとき、μｊｔ＜μｔ＜μｒｔである現像装置であり、これにより、現像剤担持体上のトナーが除電部材表面に接触時間を短くし、現像剤担持体とトナーおよび
トナー同士の摩擦抵抗よりも除電部材とトナーの摩擦抵抗を小さくしたことにより、除電部材ニップ部にトナーが滞まることがなく、トナーを回収でき、かつ除電部材ニップ部の発熱も少なくなるので、除電部材へのトナー固着を防止できるという作用を有する。
【０１０３】
請求項９に記載の発明は、請求項１〜８の何れか一項に記載の発明において、前記除電部材の引っ張り強度が１ＭＰａ以上である現像装置であり、これにより、現像剤担持体上のトナーの外添剤等により、除電部材ニップ部を過剰に摩耗したり、引き裂いたりしないので、除電部材ニップ部にトナーが堆積、固着して、その部分での現像剤担持体を削るのを防止できるという作用を有する。
【０１０４】
請求項１０に記載の発明は、請求項１〜９の何れか一項に記載の発明において、前記現像剤担持体と前記除電部材との間に、前記現像剤担持体と前記除電部材とに所定の電位差以上に電界が働くことを規制するツエナーダイオードを設けた現像装置であり、これにより、現像剤担持体と除電部材の間で、また、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止するという作用を有する。また、除電部材と現像剤担持体の間で、過剰に電位差が大きくなり、過剰な除電を防止する作用を、また、除電後、過剰に現像剤供給部材により現像剤担持体上のトナーを掻き取るのを防止し、現像剤担持体上のトナーの搬送力を確保するという作用を有する。
【０１０５】
請求項１１に記載の発明は、請求項１０記載の発明において、前記ツエナーダイオードにより１００Ｖ以下の電位差に規制される現像装置であり、これにより、除電部材と現像剤担持体の間での放電開始電圧になるのを防止することができるので、除電部材と現像剤担持体の間で、また現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのをさらに防止するという作用を有する。また、過剰な除電により、逆極および弱帯電トナーを多量に作ったり、除電後、過剰に現像剤供給部材により現像剤担持体上のトナーを掻き取るために、現像剤担持体自身のトナー搬送力が弱くなるのを防止する（搬送力確保）という作用を有する。なお、このツエナーダイオード電圧は、トナーの平均帯電量が低い程、有効であり、トナーの平均帯電量が２０μＣ／ｇ以下であれば、ツエナーダイオード電圧は５０Ｖ以下が有効である。
【０１０６】
請求項１２に記載の発明は、請求項１〜１１の何れか一項に記載の発明において、前記現像剤担持体と前記除電部材の押圧力を引っ張り荷重３０〜１００ｇｆ以下とする現像装置であり、これにより、強く除電部材を現像剤担持体に当てすぎて、現像後の現像剤担持体上に残留するトナーの電荷を過剰に除電して前述した不具合を発生させたり、現像剤担持体上のトナー層が除電部材を通過できず、トナー漏れを発生させたり、除電部材の押圧力が弱い場合は、摩擦帯電能力の高い除電部材を用いない限り、除電効果を高めるためには、過剰に除電部材と現像剤担持体の間に電位差を持たせなければならないため、除電部材と現像剤担持体の間で放電が起こりやすくなり、各種部材を劣化させてしまうのを防止でき、安定した除電と現像器部材劣化を防止できるという作用を有する。
【０１０７】
請求項１３に記載の発明は、請求項１〜１２の何れか一項に記載の発明において、前記現像剤のＣＶ値［％］が２０％以内である現像装置であり、この構成により、現像の粒径選択による現像前後の粒径変動を少なくすることができるので、現像剤担持体上のトナーの比電荷変動を防止でき、現像ゴースト、残像を防止できる、かつ粒径選択の進行による現像器内の劣化トナー蓄積を防止できるという作用を有する。
【０１０８】
請求項１４に記載の発明は、回転可能な像担持体上に静電潜像を形成し、前記像担持体に接触して回転可能に配置された現像剤担持体上に、帯電部材により所定電位に帯電されかつ層厚の規制された一成分の現像剤を設け、前記現像剤担持体上の前記現像剤を前記静電潜像に供給して当該静電潜像を現像し、現像後に、電圧供給手段により電位を与えられた除電部材により前記現像剤担持体上に残留する現像剤の電荷を除電する画像形成方法であって、前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制する画像形成方法であり、これにより、除電部材の摩擦帯電による現像剤担持体上のトナーの除電を考慮した除電電流値とすることができ、トナー層電流値以上（−５μＡ以下（負帯電の場合）、５μＡ以上（正帯電の場合））の過剰な除電電流値にならずとも、現像ゴースト、残像等の画像不具合を防止できるという作用を有する。また、過剰な除電を防止でき、逆極および弱帯電トナーの発生を低減できるという作用を有する。さらに除電後も、過剰に現像剤供給部材により現像剤担持体上のトナーを掻き取らないので、現像剤担持体上のトナーの搬送力を確保できるという作用を有する。なお、ここでの除電部材の材料は、特に限定するものでは無く、ポリテトラフルオロエチレン（ＰＴＦＥ）等の樹脂からＳＵＳ等の金属まで種々の材料が使用可能である。
【０１０９】
請求項１５に記載の発明は、回転可能な像担持体上に静電潜像を形成し、前記像担持体に接触して回転可能に配置された現像剤担持体上に、帯電部材により所定電位に帯電されかつ層厚の規制された一成分の現像剤を設け、前記現像剤担持体上の前記現像剤を前記静電潜像に供給して当該静電潜像を現像し、現像後に、除電部材と接地との間に設けられて現像剤担持体と前記除電部材との間に電界を与える接地抵抗により前記現像剤担持体上に残留する現像剤の電荷を除電する画像形成方法であって、前記現像剤が負帯電の場合には前記除電部材に流れ込む除電電流を−１．５〜−５．０μＡに、前記現像剤が正帯電の場合には前記除電部材に流れ込む除電電流を１．５〜５．０μＡに規制する画像形成方法であり、これにより、現像剤担持体と接地の間に中抵抗の除電部材と接地抵抗を設けて、抵抗分割により、除電部材に電位を与えることができるので、除電部材への電位供給のための電源を不要とできるという作用を有する。この接地抵抗は、先に述べた除電電流を規制する（−５．０μＡ以上（負帯電の場合）、５．０μＡ以下（正帯電の場合））ために２０ＭΩ以上、より好ましくは４０ＭΩ以上が好ましい。これにより過剰な除電電流を防止できるという作用を有する。
【０１１０】
請求項１６に記載の発明は、請求項１５記載の発明において、前記接地抵抗値を前記現像剤担持体上の現像剤層の電気抵抗値よりも高く設定した画像形成方法であり、これにより、現像後、前記現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止するという作用を有する。
【０１１１】
請求項１７に記載の発明は、請求項１４〜１６の何れか一項に記載の発明において、前記除電部材の前記現像剤担持体に当接する表面を、帯電系列上において前記現像剤よりも前記現像剤の正規の帯電極性と同極性側に片寄った材料で形成する画像形成方法であり、これにより除電部材の帯電能力確保ができるので、トナー劣化や現像器部材等の劣化の要因となる過剰な除電電流値（−５．０μＡ以下（負帯電の場合）、５．０μＡ以上（正帯電の場合））にしなくとも、除電部材と現像剤担持体の電位差を大きくしなくとも現像ゴーストや残像を防止できるという作用を有する。
【０１１２】
請求項１８に記載の発明は、請求項１４〜１７の何れか一項に記載の発明において、前記除電部材を、ポリフッ化ビニリデン（ＰＶＤＦ）または４フッ化エチレン・パーフロロプロピルビニルエーテル（ＰＦＡ）系樹脂で形成する画像形成方法であり、これにより、
さらに除電部材の帯電能力を向上させることができるので、トナー劣化や現像器部材等の劣化の要因となる過剰な除電電流値（−５．０μＡ以下（負帯電の場合）、５．０μＡ以上（正帯電の場合））と除電部材と現像剤担持体の電位差をさらに低減可能にし、現像ゴーストや残像の防止と両立できるという作用を有する。
【０１１３】
請求項１９に記載の発明は、請求項１４〜１８の何れか一項に記載の発明において、前記除電部材の表面抵抗値をＥ４〜Ｅ９Ω・ｃｍとする画像形成方法であり、これにより、トナー層の電気抵抗値と同等以上に除電部材の電気抵抗値に設定するので、除電部材と現像剤担持体の間で、過剰に電位差が生じて、部分的に過電流が流れたり、放電現象が発生したり、現像後に現像剤担持体上のトナーが少なくなっているまたはトナーが殆どない部分に、過剰に電位差が生じて、部分的に過電流が流れたり、放電現象が発生したりするのを低減させるという作用を有する。
【０１１４】
請求項２０に記載の発明は、請求項１４〜１９の何れか一項に記載の発明において、前記除電電流がＡｊ、前記帯電部材通過後の現像剤担持体上の前記現像剤の帯電量がＱ／Ｍのとき、３．０≦（Ｑ／Ｍ）／Ａｊ≦１２．０を満たすようにする画像形成方法であり、これにより、前記除電部材の摩擦帯電による現像剤担持体上のトナーの除電とトナー層帯電量の電流両者を考慮した除電電流値とすることができ、除電の精度向上を図ることができるので、現像ゴースト、残像等の画像不具合防止の精度向上を図れると共に、必要最低限の除電効果を得るための除電電流となるので、トナー層電流値以上（−５μＡ以下（負帯電の場合）、５μＡ以上（正帯電の場合））の過剰な除電電流値にならず、除電部材への過剰な除電電流が流れないので、除電部材と現像剤担持体の間で、部分的に過電流が流れたり、放電現象が発生し、トナーを劣化させたり、除電部材や現像剤担持体等の現像器部材を劣化させるのを防止できるという作用を有する。さらに除電後も、過剰に現像剤供給部材により現像剤担持体上のトナーを掻き取らないので、現像剤担持体上のトナーの搬送力を確保できるという作用を有する。
【０１１５】
請求項２１に記載の発明は、請求項１４〜２０の何れか一項に記載の発明において、前記除電部材と前記現像剤担持体の接触ニップ幅が２ｍｍ以下、前記現像剤の内部摩擦係数がμｔ、前記現像剤と前記現像剤担持体との摩擦係数がμｒｔ、前記現像剤と前記除電部材との摩擦係数がμｊｔのとき、μｊｔ＜μｔ＜μｒｔを満たすようにする画像形成方法であり、これにより、現像剤担持体上のトナーが除電部材表面に接触時間を短くし、現像剤担持体とトナーおよびトナー同士の摩擦抵抗よりも除電部材とトナーの摩擦抵抗を小さくしたことにより、除電部材ニップ部にトナーが滞まることがなく、トナーを回収でき、かつ除電部材ニップ部の発熱も少なくなるので、除電部材へのトナー固着を防止できるという作用を有する。
【０１１６】
請求項２２に記載の発明は、請求項１４〜２１の何れか一項に記載の発明において、前記除電部材の引っ張り強度を１ＭＰａ以上にする画像形成方法であり、これにより、現像剤担持体上のトナーの外添剤等により、除電部材ニップ部を過剰に摩耗したり、引き裂いたりしないので、除電部材ニップ部にトナーが堆積、固着して、その部分での現像剤担持体を削るのを防止できるという作用を有する。
【０１１７】
請求項２３に記載の発明は、請求項１４〜２２の何れか一項に記載の発明において、前記現像剤担持体と前記除電部材の間に、前記現像剤担持体と前記除電部材とに所定の電位差以上に電界が働くことを規制するツエナーダイオードを設ける画像形成方法であり、これにより、現像剤担持体と除電部材の間で、また、現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのを防止するという作用を有する。また、除電部材と現像
剤担持体の間で、過剰に電位差が大きくなり、過剰な除電を防止する作用を、また、除電後、過剰に現像剤供給部材により現像剤担持体上のトナーを掻き取るのを防止し、現像剤担持体上のトナーの搬送力を確保するという作用を有する。
【０１１８】
請求項２４に記載の発明は、請求項１４〜２３の何れか一項に記載の発明において、前記ツエナーダイオードにより１００Ｖ以下の電位差に規制する画像形成方法であり、これにより、除電部材と現像剤担持体の間での放電開始電圧になるのを防止することができるので、除電部材と現像剤担持体の間で、また現像後、現像剤担持体上のトナーが少なくなった場合、または殆どトナーが無い場合に、現像剤担持体と除電部材の間で部分的に過電流が流れたり、放電現象が発生し、トナーを劣化させたり、除電部材や現像剤担持体等の現像器部材を劣化させるのをさらに防止するという作用を有する。また、過剰な除電により、逆極および弱帯電トナーを多量に作ったり、除電後、過剰に現像剤供給部材により現像剤担持体上のトナーを掻き取るために、現像剤担持体自身のトナー搬送力が弱くなるのを防止する（搬送力確保）という作用を有する。なお、このツエナーダイオード電圧は、トナーの平均帯電量が低い程、有効であり、トナーの平均帯電量が２０μＣ／ｇ以下であれば、ツエナーダイオード電圧は５０Ｖ以下が有効である。
【０１１９】
請求項２５に記載の発明は、請求項１４〜２４の何れか一項に記載の発明において、前記現像剤担持体と前記除電部材の押圧力を引っ張り荷重３０〜１００ｇｆ以下とする画像形成方法であり、これにより、強く除電部材を現像剤担持体に当てすぎて、現像後の現像剤担持体上に残留するトナーの電荷を過剰に除電して前述した不具合を発生させたり、現像剤担持体上のトナー層が除電部材を通過できず、トナー漏れを発生させたり、除電部材の押圧力が弱い場合は、摩擦帯電能力の高い除電部材を用いない限り、除電効果を高めるためには、過剰に除電部材と現像剤担持体の間に電位差を持たせなければならないため、除電部材と現像剤担持体の間で放電が起こりやすくなり、各種部材を劣化させてしまうのを防止でき、安定した除電と現像器部材劣化を防止できるという作用を有する。
【０１２０】
請求項２６に記載の発明は、請求項１４〜２５の何れか一項に記載の発明において、前記現像剤のＣＶ値［％］を２０％以内にする画像形成方法であり、この構成により、現像の粒径選択による現像前後の粒径変動を少なくすることができるので、現像剤担持体上のトナーの比電荷変動を防止でき、現像ゴースト、残像を防止できる、かつ粒径選択の進行による現像器内の劣化トナー蓄積を防止できるという作用を有する。
【０１２１】
（実施の形態１）
以下、本発明を実施するための最良の形態を、図面を参照しつつさらに具体的に説明する。ここで、添付図面において同一の部材には同一の符号を付しており、重複した説明は省略されている。また、従来の技術として既に説明した図１１および図１２と同一の部材にも同一の符号を付しており、重複した説明は省略されている。なお、ここでの説明は本発明が実施される最良の形態であることから、本発明は当該形態に限定されるものではない。
【０１２２】
図１は本発明の実施の形態１における現像装置を備えた画像形成装置の全体構成を示す概略図、図２は本発明の実施の形態１における現像装置を示す概略図、図３は本発明の実施の形態１における現像装置において、現像、除電、現像剤供給、帯電（薄層化）部の詳細を示す概略図、図４は本発明の実施の形態１における現像装置において、除電部材に流れ込む電流（除電電流）値の測定方法を示す概略図、図５は本発明の実施の形態１における現像装置において、現像剤供給部材による現像剤担持体上現像剤（トナー）の掻き取り効果を示す説明図、図６は本発明の実施の形態１における現像装置において、除電部材と接地の間に所定の接地抵抗を有する現像装置を示す概略図、図７は本発明の実施の形態１における除電部材と接地の間に所定の接地抵抗を有する現像装置において、現像、除電、
現像剤供給、帯電（薄層化）部の詳細を説明する概略図、図８は本発明の実施の形態１における現像装置において、現像剤担持体と除電部材の間にツエナーダイオードを有する現像装置を示す概略図、図９は本発明の実施の形態１における現像剤担持体と除電部材の間にツエナーダイオードを有する現像装置現像装置において、現像、除電、現像剤供給、帯電（薄層化）部の詳細を説明する概略図、図１０は本発明の実施の形態１における現像装置において、除電部材と現像剤担持体の押圧力の測定方法を示す概略図である。
【０１２３】
まず、図１を用いて画像形成装置の概略構成を説明する。
【０１２４】
図示するように、画像形成装置には像担持体１が設けられている。この像担持体１は、金属ドラムに感光体層が設けられ、静電潜像を担持する感光体ドラムである。ここで、感光体層にはＯＰＣ層やａ−ＳｉＨ層、セレン層などを用いる。また、素管の傷や汚れが感光体の帯電特性に影響しないよう、アルミ素管とＣＧＬとの間に導電性下引層を設けてもよい。ＯＰＣ層の場合、下引き層上に形成される比較的薄いキャリア発生層（ＣＧＬ）と、最外層に形成されるポリカーボネートを主成分とした比較的薄いキャリア移動層（ＣＴＬ）とで構成される。そして、露光によってキャリア発生層でキャリアが発生し、該キャリアによって像担持体１に帯電した電荷が相殺されて静電潜像が形成される。なお、このＣＧＬとＣＴＬの混合層を単層としたものを使用しても良い。
【０１２５】
この像担持体１は、画像形成動作時に矢印方向に一定速度で回転駆動されるものであり、この像担持体１の周囲において像担持体１と対向するようにして、以下に説明する各種の画像形成プロセス手段が配置されている。
【０１２６】
すなわち、像担持体１を帯電するための帯電装置２３が、像担持体１の表面から所定の間隙を持って配置されている。図１中には帯電ローラからなる帯電装置を図示しているが、その他にもスコロトロン、コロトロン帯電装置や固体帯電素子などの非接触帯電装置を用いてもよく、さらには帯電ブラシなども用いてもよい。本実施の形態では帯電ローラ式の帯電装置を用いて説明する。
【０１２７】
また、帯電装置２３の像担持体１回転方向下流側には、帯電した像担持体１の表面に光を照射してこの像担持体１上に静電潜像を形成する光学系２４が配置されている。光学系２４としては、像担持体１（感光体）の吸収スペクトルが高い波長を発光するものであれば、半導体レーザ光やＬＥＤ光、ＣＲＴ光、ＥＬ光等を露光源として用いてもよい。ここで、画像形成装置が複写機であれば、コピー原稿を光照射し、原稿からの反射光を光像として照射する。また、画像形成装置がプリンタやデジタル複写機であれば、光学系は半導体レーザを画像データに応じてＯＮ−ＯＦＦ駆動した光像を照射する。特に、デジタル複写機においては、コピー原稿からの反射光を画像読取センサ（ＣＣＤ素子等）にて読み取った画像データを上記半導体レーザを含む光学系へと入力し、画像データに応じた光像を出力するようにしている。また、プリンタにおいては、他の処理装置、例えばワードプロセッサやパーソナルコンピュータ等からの画像データに応じた光像に変換し、これを照射するようにしている。
【０１２８】
さらに、光学系２４の像担持体１回転方向下流側には、光学系２４により露光されることで像担持体１の表面に形成された静電潜像を可視像化する本発明にかかる現像装置（現像手段）８が配置されている。この現像装置についての詳細は後述する。
【０１２９】
さらに、現像装置８の像担持体１回転方向下流側には、転写手段としての転写装置２５が配置されている。転写装置２５としては、芯金に導電性ウレタンやＥＰＤＭ、シリコンなどのスポンジ層を巻き付けた転写ローラや、ナイロンやレイヨンなどの導電性繊維からなる転写ブラシ、導電性ゴム板や導電性フィルムシートの先端部が接触した転写ブレード
や転写フィルム、ＰＴＦＥやＰＦＡ、ＴＥＰ、ポリイミド、ポリカーボネートなどの樹脂材料に導電材を分散した導電性ベルトなどを用いる。また、ここでの転写は、普通紙やハガキ用紙、ＯＨＰシートなどの受像紙２９に直接転写する直接転写方式を例示したが、本発明は限定されるものでは無く、上述したような中間転写体（ベルト、ローラ等）に４色順次に一次転写した後、一括して受像紙に転写する（二次以上の転写）中間転写方式でも転写フイルムでもスコロトロン、コロトロン等の非接触式のものを用いてもよい。
【０１３０】
転写装置２５の像担持体１回転方向下流側には、転写後に像担持体１の表面に転写されなかった残留現像剤（トナー）を除去するクリーニング装置２６が、さらにその回転方向下流側には、転写後に像担持体１の表面に残る帯電電荷を除去する除電装置２７が、それぞれ配置されている。
【０１３１】
また、画像形成装置には、受像紙２９を所定の速度で搬送する一対のレジストローラ３１が配置されており、像担持体１における転写装置２５による転写領域とレジストローラ３１との間には、レジストローラ３１から像担持体１までの受像紙２９の搬送方向を案内する上流側案内手段３２が設けられている。転写領域よりも受像紙２９の搬送方向下流側には、受像紙２９上に転写されたトナー像を受像紙２９に定着させる定着装置２８が配置されており、前述した転写領域と定着装置２８との間には、転写領域から定着装置２８までの受像紙２９の搬送方向を案内する下流側案内手段３３が設けられている。
【０１３２】
なお、高湿下環境では受像紙２９が低抵抗になり、転写装置２５の可撓部材から受像紙２９を介して案内手段３２，３３に電流が漏洩してしまう。このため、受像紙２９の背面に十分な電荷が供給されなくなり、転写不良が発生してしまう。この問題を解決するため、案内手段３２，３３は絶縁部材で構成するか、転写電圧と同極性の電圧が印加されることが好ましい。また、抵抗素子やツェナーダイオード素子など自己バイアス素子を案内手段３２，３３と接地との間に接続してもよい。
【０１３３】
また、定着装置２８は、用紙上に転写された未定着のトナー像を永久像として定着させるものであって、トナー像と対向する面が、トナーを溶融し、定着させる温度に加熱されたヒートローラ（加熱手段）２８ａからなり、該ヒートローラ２８ａに対して圧接されて受像紙２９をヒートローラ２８ａ側へと密着させる加圧ローラ（加圧手段）２８ｂを設けてた構成となっている。この定着装置２８を通過した受像紙２９は、画像形成装置外へと排出ローラ（図示せず）を介して排出トレイ（図示せず）上に排出処理される。なお、図１には、ヒートローラ２８ａと加圧ローラ２８ｂとはローラ形状を示しているが、本発明はこれに限るものではなく、フィルム状やベルト状の加熱手段や加圧手段等を用いてもよい。
【０１３４】
受像紙２９は、例えばトレイまたはカセットに多量に収容できるようになっており、この収容された受像紙２９がレジストローラ３１にて一枚ずつ給紙され、上述した転写装置２５が配置された像担持体１と対向する転写領域へと、像担持体１の表面に形成されたトナー像の先端と一致するように送り込まれる。この転写後の受像紙２９は、像担持体１より剥離され、定着装置２８へと送り込まれる。
【０１３５】
次に、以上のような構成の画像形成装置における動作の概略を説明する。
【０１３６】
画像形成装置が画像形成動作を開始すると、像担持体１が矢印方向に回転駆動され、帯電装置２３にて像担持体１の表面が特定極性の電位に均一帯電される。帯電された像担持体１の表面が露光系２４と対向する位置に搬送されると、受信した画像信号に応じた光が像担持体１の表面に照射される。これにより、光照射された領域の像担持体１の表面は帯電電位が低下する。この結果、像担持体１の表面に静電潜像が形成される。
【０１３７】
次に、像担持体１の表面の静電潜像が現像装置８と対向する位置に搬送されると、所定の電圧が印加された現像剤担持体２上のトナーが、静電潜像と現像剤担持体２との電位差に応じて像担持体１上に移動する。この結果、トナーが像担持体１上の静電潜像に付着し、像担持体１上にトナー像が形成される。この動作を現像という。この現像は、本発明においては一成分現像剤による現像であって、該トナーが像担持体１の表面に形成された静電潜像に例えば静電気力により選択的に吸引され、現像が行われる。
【０１３８】
像担持体１の表面に形成されたトナー像は、転写装置２５と像担持体１とが当接する転写領域に搬送される。このとき、転写装置２５には、トナー粒子とは逆極性の電圧が印加される。一方、レジストローラ３１の回転駆動が開始され、トナー像が転写領域に搬送されるのと同期して、レジストローラ３１に挟持されていた受像紙２９の搬送が開始される。
【０１３９】
上流側案内手段３２に沿って搬送された受像紙２９は、転写領域に突入する。転写領域を通過する間、転写装置２５から受像紙２９の背面に蓄積された電荷により受像紙２９と像担持体１である感光体ドラムとの間に電界Ｅが形成される。これにより、トナーの電荷ｑと電界Ｅによるクーロン力Ｆ＝ｑＥが作用して、像担持体１上のトナーが受像紙２９側に転写される。正規の極性に帯電してないトナーや機械的付着力が過剰なトナーは、クーロン力Ｆでは受像紙２９側に吸引されずに、転写残留トナーとなって像担持体１の表面に残留する。
【０１４０】
転写後、像担持体１の表面には転写されなかったトナー像の一部が残留し、この残留トナーが、クリーニング装置２６にて像担持体１の表面から除去され、像担持体１を再利用するために除電装置２７にて像担持体１の表面が均一電位、例えばほぼ０電位に除電される。本発明では、除電装置２７を用いた画像形成装置を例示したが、この除電装置２７は、必ず必要なものではなく、省略してもよいし、代わりのものを用いてもよい。
【０１４１】
一方、転写後の受像紙２９は、像担持体１より剥離され、定着装置２８へと搬送される。この定着装置２８にて、受像紙２９上のトナー像は溶融され、ローラ間の加圧力により受像紙２９に圧着され融着される。この定着装置２８を通過する受像紙２９は、画像形成済み受像紙２９として画像形成装置の外部に設けられている排出トレイ（図示せず）等に排出処理される。
【０１４２】
次に、図２〜図４を用いて本発明の一成分現像剤による現像を行う現像装置８の構成について説明する。
【０１４３】
現像装置８は、一成分現像剤、例えば非磁性の一成分現像剤（トナー）７を収容した現像剤（トナー）ホッパ３４を備えており、この現像剤（トナー）ホッパ３４内には、像担持体１にトナーを付着させトナー像を作る所謂現像を行う現像剤担持体２、および一成分現像剤７を現像剤担持体２側へと供給する現像剤供給部材３がそれぞれ回転可能に設けられている。また、必要に応じて補給される一成分現像剤７を現像剤供給部材３の近傍へと送り込むアジテーターまたはスクリューローラ等の撹拌供給部材４が設けられている。
【０１４４】
現像装置８内に設けられている現像剤担持体２は、一部（現像領域３０側）が露出し上述した像担持体１と対向する現像領域３０へとトナーを搬送するために、像担持体１と対向する現像領域３０において同一方向に回転されるように設けられている。この現像剤担持体２には、上述した現像剤供給部材３が圧接されている。また、現像領域３０の現像剤担持体２回転方向下流側には、現像後に残留した現像剤担持体２上のトナーを除電・除去する除電部材５を備えている。
【０１４５】
現像剤担持体２は、その構造として例えば導電性シャフト（回転軸を含む）の表面を高分子弾性体で被覆して、例えば外径がφ１０〜４０で構成されている。導電性シャフトは、ステンレスなどの金属や電気抵抗値の比較的低い樹脂等である。高分子弾性体としては、比誘電率が約１０程度の樹脂材料が用いられ、ポリウレタン、ＥＰＤＭ、シリコン、二トリルブタジエンゴム、クロロプレンゴム、スチレンブタジエンゴム、ブタジエンゴム等を用いることができる。また、高分子弾性体の電気抵抗値の調整剤として、カーボンブラック、酸化チタン、例えば過塩素酸ナトリウム、過塩素酸カルシウム、塩化ナトリウム等の無機イオン導電性物質等のイオン導電性物質、例えばポリジアルキルシロキサン、ポリシロキサン−ポリアルキレンオキシドブロック共重合体の界面活性剤を用いることができ、これらのいずれか１つまたは複数を用いることができる。弾性体の形成に発泡剤を用いる場合、シリコン系界面活性剤が最適である。あるいはイオン導電性のソリッドゴム等を用いるようにすれば、トナーの融着等が生じない所定の抵抗値を維持でき、後に記述するように現像バイアス電圧を供給する時に有効に作用する。この現像剤担持体２の電気抵抗値はＥ３〜Ｅ７Ωであり、好ましくはＥ５〜Ｅ６Ωである。ＩＳＫ−６３０１（アスカーＣ硬度計荷重１ｋｇｆ）の硬度は６０〜７０であり、ＪＩＳＢ０６０１の表面粗さＲｚは１〜６μｍ程度である。なお、加硫剤や充填剤の添加量によって弾性部材の硬度が調節できる。
【０１４６】
この現像剤担持体２には、図示しない駆動モータが連結されており、図において矢印方向に現像剤担持体２が回転駆動される。そして、一成分現像剤７は、回転する現像剤担持体２の表面に吸着され、像担持体１の表面と対向する現像領域３０へと搬送される。そして、現像剤担持体２が像担持体１の表面に圧接されているため、その圧接された領域が現像領域３０となって、一成分現像剤７が感光体１の表面の静電潜像に吸引され現像されることになる。この現像剤担持体２には、現像バイアス電源回路（電圧供給手段）９から現像バイアス電圧Ｖｂが供給されている。この現像バイアス電圧Ｖｂは、像担持体１に形成された静電潜像にトナー付着させ、それ以外の領域、つまり非画像領域にトナーを付着させないような極性および電圧値で、例えば−１５０〜−４００Ｖ程度に設定され、現像量アップ等でＡＣも印加してよい。
【０１４７】
前記した一成分現像剤７は、例えば平均粒径５〜１２μｍ程度の一成分非磁性トナーであって、ポリエステル系トナーあるいはスチレンアクリル系トナーが用いられる。
【０１４８】
このトナー粒子は、二成分現像装置、一成分現像装置に関わらず、着色剤が分散された結着樹脂から構成される。結着樹脂の材料としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン等をあげることができる。さらに、ポリエステル、ポリウレタン、エポキシ樹脂、シリコーン樹脂、ポリアミド、変性ロジン、パラフィンワックス等が用いられる。また、着色剤としては、カーボンブラック、ニグロシン、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・イエロー１８０をあげることができる。本発明のトナーには、上記成分のほかに、必要に応じて帯電制御剤やワックスなどを含有させることができる。さらに必要に応じてシリカや酸化チタン、酸化亜鉛などの無機酸化物や有機微粒子等の外添剤を添加することもできる。
【０１４９】
本発明において、トナーの体積粒径分布のシャープさを示す指標ＣＶ値は２０％以下が
好ましい。このＣＶ値は１００×（粒径の標準偏差／粒径の平均値）で表され、大きいほど体積粒径分布がブロードで、小さいほど体積粒径分布はシャープなものとなる。
【０１５０】
このＣＶ値が２０％を超えると、現像剤担持体２上のトナーの体積粒径分布変動が大きくなり、現像ゴースト、残像が発生しやすくなったり、選択現像により、帯電量が低いトナー（劣化トナーも含む）のトナーホッパ３４中での蓄積が発生し、現像剤供給部材３への弱帯電トナーの目詰まりや後述する帯電部材６への詰まりや除電装置２７への滞留等による現像剤担持体２への傷等部材劣化の要因となる。ところが、このＣＶ値が小さいトナーを用いると、体積平均粒径に対して小さいトナーや大きいトナーの割合が少なくなるので、体積平均粒径の変動も小さくなることが予想され、現像剤担持体２上のトナーの比電荷量の変動も少なくなり、現像ゴースト、残像が発生せず、前述した部材の劣化も防止できる。
【０１５１】
トナーの帯電量は、本発明においては、−１０〜−３５μＣ／ｇ（正帯電の場合１０〜３０μＣ／ｇ）が好ましい。より、好ましくは−１５〜−３０μＣ／ｇ（正帯電の場合１５〜３０μＣ／ｇ）である。帯電量が上記範囲を上回ると、トナーの電荷量が大きすぎて現像量が極端に減少したり、トナー電荷に見合う転写電界が不足して転写残トナーが極端に増加したり、トナー同士が反発しあって転写での飛び散りを起こしてしまう。また、上記範囲を下回ると、トナーホッパ３４中における弱帯電トナーの割合が多くなり、現像剤供給部材３への弱帯電トナーの目詰まりや現像剤担持体２上のトナーの搬送力が弱くなり、帯電装置２３へのトナーの軟凝集物のひっかかりが多くなる等の不具合が発生したり、転写工程で転写電界過剰により、また転写ニップ前後でのパッシェン放電や転写ニップ内での電荷注入により、トナーが逆極性に帯電しやすくなり、転写残トナーが極端に増加してしまったり逆転写を起こしてしまう。
【０１５２】
現像剤供給部材３は、回転方向としては、現像剤担持体２の対向（圧接領域）部分で現像剤担持体２の回転方向と逆方向になるように回転駆動されている。この現像剤供給部材３は、現像剤担持体２と同様な素材を用いており、電気的抵抗の調整も現像剤担持体２と同様の抵抗調整材料で可能である。また、現像剤供給部材３の弾性をさらに大きくするために、発泡された（多孔質）素材を用いている。具体的には、体積抵抗率がＥ４〜Ｅ６Ωｃｍ程度で、発泡によるセル数が約３〜４個／ｍｍの導電性ポリウレタンフォームをステンレスや導電性樹脂などをシャフト上に形成している。現像剤供給部材３に関し、例えば直径は１０〜４０ｍｍで、現像剤担持体２に対する周速比が概ね０．４〜２．０の間に設定される。シャフトには、電圧Ｖｓとして例えば−１５０〜−６００Ｖ程度で、トナー供給力アップ等でＡＣが印加されてもよい。現像剤供給部材３は、０．５ｍｍ〜１ｍｍの接触深さで現像剤担持体２に接触される。トナー７は、該供現像剤給部材３によってたとえば負に予備帯電される。
【０１５３】
上記現像剤供給部材３には、バイアス電源回路（電圧供給手段）１１からバイアス電圧Ｖｓが印加されており、一般的にはトナーを現像剤担持体２側に押し出す方向、つまり現像剤供給部材３側のトナーを反発し現像剤担持体２へと供給する方向のバイアス電圧が設定されている。例えば、負極性のトナーを用いる場合は、負極性側にさらに大きなバイアス電圧Ｖｓを現像剤供給部材３に印加している。
【０１５４】
現像剤担持体２および現像剤供給部材３は、図示しない駆動モータが連結されており、図において矢印方向に回転駆動されることで、現像剤供給部材３によって現像剤担持体２にトナーを供給すると共に、現像後に現像に寄与されなかった現像剤担持体２表面のトナーを剥離（除去）する。この現像剤供給部材３にて供給されたトナーは、現像剤担持体２の表面に付着され、像担持体１の表面と対向する現像領域３０へと搬送される前に、該現像剤担持体２に適度に圧接された帯電部材６にて、トナー付着量を規制し一定のトナー層
厚に規制している。
【０１５５】
帯電部材６は、現像剤担持体２に適度の圧力にて圧接されている。この帯電部材６は例えば板状の金属材等からなるブレード構成部材で形成されており、その先端近傍の腹（面）の部分が現像剤担持体２に圧接されている。したがって、現像剤担持体２に供給されたトナー７は、帯電部材６の所定の設定圧力や設定位置によって所定の帯電電荷量と厚みに規制され、像担持体１と対向接触する現像領域３０へと搬送されていく。上記帯電部材６は、一端が現像装置８側に固定され、他端の自由端側の腹の部分が現像剤担持体２の表面に圧接するように設けられている。該帯電部材６は、例えば板厚０．１〜０．２ｍｍ程度のリン青銅、あるいはステンレス（ＳＵＳ）等の金属板にて構成され、現像剤担持体２に対して所定圧で、その長手方向（現像剤担持体２の回転軸方向）に沿って先端の近傍の腹部分が圧接されている。これにより帯電部材６にて、現像剤担持体２の表面に現像剤供給部材３を介して担持された一成分現像剤７の量が一定にされ、像担持体１と接触する現像領域３０へと搬送される。
【０１５６】
この帯電部材６においても、バイアス電源回路（電圧供給手段）１０から所定の電圧Ｖｄが供給されている。このバイアス電圧Ｖｄにおいても、トナー７を現像剤担持体２側へと押し出す方向、例えば負極性トナーであればより負極性側に大きな値が設定されている。また、帯電部材６に供給するバイアス電圧Ｖｄは、現像剤担持体２に供給される現像バイアス電圧Ｖｂと同電位に、またその絶対値で大きい値に設定する場合もある。該帯電部材６によって、現像剤担持体２上のトナー付着量は約０．４ｍｇ／ｃｍ2〜０．７ｍｇ／ｃｍ2に、トナー帯電量は約−１５μＣ／ｇ〜−３０μＣ／ｇに規制される。なお、現像剤担持体２上のトナーを所定電位に帯電しかつトナーの層厚を規制する帯電部材６とバイアス電源回路１０とを含んで帯電手段が構成される。
【０１５７】
一方、像担持体１と対向する現像領域３０に搬送されたトナー７は、像担持体１の表面に形成された静電潜像に応じて選択的に付着され、静電潜像をトナーの色により顕像化する。そして、現像に寄与されなかったトナー７は、現像剤担持体２の回転によりトナーホッパ３４内に戻される。その戻される位置には、トナーの除電部材５が現像剤担持体２に圧接されるように設けられている。
【０１５８】
この除電部材５は、現像剤供給部材３の現像剤担持体２回転方向の手前に配置されており、適度に現像剤担持体２に圧接させるように一端部分が現像装置８に固定され、自由端側の腹を現像剤担持体２に圧接する領域を有するバネ性を利用して圧接させるようにしている。なお、図２の現像装置８におけるように、下シール部材を兼ねる除電部材５にすれば、現像剤担持体２に対する当接圧力が、シール部材を兼ねさせるがために或る範囲に決められてしまうが、シール部材と別途に除電部材５を設ける必要がないので、それだけ現像装置製作コスト上有利である。
【０１５９】
本発明において、除電部材５は、導電性の良い材料を分散させてある。そして図２に示すように、除電部材５にも除電バイアス電源（電圧供給手段）１２が接続され、除電バイアス電位Ｖｊが印加される。そして、除電部材５および除電バイアス電源１２を含んで除電手段が構成される。
【０１６０】
この除電バイアス電位Ｖｊは、像担持体１上の静電潜像の現像後なお現像剤担持体２上に消費されずに残っている余剰トナー層から除電部材５へ電荷の移動が円滑に行われるように、電源１２から現像剤担持体２に印加された現像バイアスＶｂにトナーの帯電により発生するトナー層電位Ｖｔを加えたトナー層の表面電位に対して、負帯電性トナー使用のときは、除電バイアス電位Ｖｊ＞トナー層表面電位（Ｖｂ＋Ｖｔ）（＜現像バイアス）となり、正帯電性トナー使用のときは、除電バイアス電位Ｖｊ＜トナー層表面電位（ＶＢ＋
ＶＴ）（＞現像バイアス）となるように選ばれる。なお、この不等式は各電位の正負を考慮している。ここでは除電バイアスＶｊは直流であるが、交流を印加しても良い。
【０１６１】
本発明において、除電部材５で現像後の残留トナーを除電することにより、除電部材５へ流れ込む除電電流値を−１．５〜−５．０μＡ（負帯電トナーの場合）に規制している（なお、正帯電トナーの場合、１．５〜５．０μＡ）。この除電電流値は、除電部材５と現像剤担持体２の間の電位差を小さくする、除電部材５の抵抗値を高くする、除電部材５と接地の間に２０ＭΩ以上の接地抵抗を設けたりして規制することができる。
【０１６２】
また、これは除電部材５自体の摩擦帯電による現像剤担持体２上のトナーの除電を考慮した除電電流値とすることができ、トナー層電流値以上（−５μＡ以下）の過剰な除電電流値にならずとも、現像ゴースト、残像等の画像不具合を防止できると共に、除電部材５への過剰な除電電流が流れないので、除電部材５と現像剤担持体２の間で、部分的に過電流が流れたり、放電現象が発生し、トナーを劣化させたり、除電部材５や現像剤担持体２等の現像器部材を劣化させるのを防止できる。
【０１６３】
また、過剰な除電を防止でき、逆極および弱帯電トナーの発生を低減できるので、現像剤担持体２上のトナー層厚ムラによる濃度ムラが発生したり、この逆極および弱帯電トナーが現像剤供給部材３の目の中に多量に入り込んで現像剤供給部材３を硬化させ、その現像剤供給部材３が現像剤担持体２を削ったりすることを防止できる。
【０１６４】
さらに、除電後も、過剰に現像剤供給部材３により現像剤担持体２上のトナーを掻き取らないので、現像剤供給部材３からトナーが現像剤担持体２に供給された後に、トナーホッパ３４からの未帯電トナーが供給されても、ある程度の帯電量を保ったトナー層があり、現像剤担持体２自体のトナー搬送力も強く、トナーの軟凝集物が帯電部材６に引っかかるのを防止し、画像上に白筋が発生するのを防止できる。
【０１６５】
なお、この除電電流は、図４に示すように、除電部材５と現像剤担持体２の間の電位差と除電部材５とトナー１５の摩擦帯電により現像剤担持体２上のトナーが除電されて、除電部材５に電荷が流れ込むものであり、除電部材５と接地の間に電流計１９を設けて測定できるものである。
【０１６６】
また、本発明における除電部材５は、樹脂やＳＵＳ等の金属まで種々の導電性材料であれば良いが、好ましくはいずれもトナー７よりも帯電系列上、該トナーの正規帯電極性と同極性側にかたよった材料で形成してあり、且つ、導電性の良い材料を分散させてあるのがよい。例えば前記トナー７よりも帯電系列上、該トナーの正規の帯電極性と同極性側に片寄った材料としては、負帯電トナーに対しては、ポリテトラフルオロエチレン（ＰＴＦＥ）、四フッ化エチレン、ポリフッ化ビニリデン（ＰＶＤＦ）、４フッ化エチレン・パーフロロプロピルビニルエーテル（ＰＦＡ）等のフッ素樹脂を例示でき、また、正帯電トナーに対してはポリアミド（ナイロン）、シリコン系樹脂を例示できる。これら材料に抵抗調整するものとして、分散させる導電性良好な材料として、カーボン、各種導電性金属粒子等のほか、適当な荷電制御物質も例示できる。なお、この分散は荷電制御物質を塗布することも含むものである。これにより、除電部材５の帯電能力確保ができるので、トナー劣化や現像器部材等の劣化の要因となる過剰な除電電流値（−５．０μＡ以下）にしなくとも、除電部材５と現像剤担持体２の電位差を大きくしなくとも、現像ゴーストや残像を防止できる。
【０１６７】
また、除電部材５がフッ素系樹脂の中でも特に帯電能力が高いポリフッ化ビニリデン（ＰＶＤＦ）または４フッ化エチレン・パーフロロプロピルビニルエーテル（ＰＦＡ）系樹脂で構成したものであり、さらに除電部材５の帯電能力を向上させることができるので、
トナー劣化や現像器部材等の劣化の要因となる過剰な除電電流値（−５．０μＡ以下）と除電部材５と現像剤担持体２の電位差をさらに低減可能にし、現像ゴーストや残像の防止と両立できるようにしたものである。
【０１６８】
さらに、除電部材５の表面抵抗値をＥ４〜Ｅ９Ω・ｃｍとしたものであり、この構成により、トナー１５の電気抵抗値と同等以上に除電部材５の電気抵抗値に設定するので、除電部材５と現像剤担持体２の間で、過剰に電位差が生じて、部分的に過電流が流れたり、放電現象が発生したり、現像後に現像剤担持体２上のトナー１５が少なくなっている、またはトナー１５が殆どない部分に過剰に電位差が生じて部分的に過電流が流れたり、放電現象が発生したりするのを低減させることができ、トナー１５を劣化させたり、除電部材５や現像剤担持体２等の現像器部材を劣化するのを防止できる。この抵抗値は好ましくは、Ｅ５〜Ｅ７Ω・ｃｍである。これにより、安定した除電と放電による現像器部材劣化の両立の精度向上を図れる。
【０１６９】
また、除電電流Ａｊ、帯電部材６通過後の現像剤担持体２上のトナー１５の帯電量Ｑ／Ｍが、３．０≦（Ｑ／Ｍ）／Ａｊ≦１２．０であるとしたものであり、この構成により、除電部材５の摩擦帯電による現像剤担持体２上のトナー１５の除電とトナー層帯電量の両者を考慮した除電電流値とすることができ、除電の精度向上を図ることができる。
【０１７０】
また、図２に示すように、除電部材５の現像剤担持体２とは反対側にバックアップスポンジ１３が設けられている。このバックアップスポンジ１３は、除電部材５とトナーホッパ３４の下部との間に、これらに接するように挿入されている。該バックアップスポンジ１３によって除電部材５を現像剤担持体２に十分に接触させることができ、現像後の現像剤担持体２上のトナー１５の電荷を確実に除電することができ、かつトナーが除電部材５と現像剤担持体２の間から漏れるのを防止することができる。さらに、除電部材５とトナーホッパ３４の下部の間にトナーが入り込みすぎて、除電部材５の現像剤担持体２への接触圧力が過剰になるのを防止することができる。このようなバックアップスポンジ１３は、図２〜図４に示すように、その弾性度を最適化することによってトナーのこぼれや飛散を防ぎ、溜まることなくトナー１５をトナーホッパ３４に回収することができる。すなわち、バックアップスポンジ１３は発泡誘電体と発泡剤とを含む発泡体から構成することが好ましく、バックアップスポンジ１３と現像剤担持体２の接触面積を確実に確保でき、除電効率が向上し、また接触時の負荷の低減を図ることができる。
【０１７１】
特に、前述した発泡誘電体は、ＥＰＤＭ、ウレタン、ナイロン、シリコン、ＰＥＴ、ＰＴＦＥ、ＰＶＤＦ、天然ゴム、ニトリルブタジエンゴム、クロロプレンゴム、スチレンブタジエンゴム、ブタジエンゴム、イソプレンゴムおよびポリノルボルネンゴムのうちのいずれか１つであることが好ましい。
【０１７２】
また、除電部材５は例えば現像剤担持体２へ０．２〜０．７ｍｍ食い込むようにして、現像剤担持体２と除電部材５とのニップが０．５〜３ｍｍ程度になるように設定されている。そして、除電部材５には、現像剤担持体２に対して、例えば＋０〜＋３００Ｖの電圧Ｖｊが印加される。
【０１７３】
また、本発明において、前述した除電部材５とトナーホッパ３４の下部の間のバックアップスポンジ１３の弾性度を調節して除電部材５と現像剤担持体２の接触ニップ幅が２ｍｍ以下、およびトナー１５の内部摩擦係数μｔ、現像剤と現像剤担持体２との摩擦係数μｒｔ、トナー１５と除電部材５との摩擦係数μｊｔが、μｊｔ＜μｔ＜μｒｔとしたものであり、この構成により、現像剤担持体２上のトナー１５が除電部材５表面に接触時間を短くし、現像剤担持体２とトナー１５およびトナー同士の摩擦抵抗よりも除電部材５とトナー１５の摩擦抵抗を小さくしたことにより、除電部材５のニップ部にトナーが滞まるこ
とがなく、トナーを回収でき、かつ除電部材５のニップ部の発熱も少なくなるので、除電部材５へのトナー固着を防止できる。
【０１７４】
また、本発明における除電部材５は、その引っ張り強度が１ＭＰａ以上であるとしたものであり、この構成により、現像剤担持体２上のトナーの外添剤等により、除電部材５のニップ部を過剰に摩耗したり、引き裂いたりしないので、除電部材５のニップ部にトナーが堆積、固着して、その部分での現像剤担持体２を削るのを防止できる。
【０１７５】
次に、図２および図３を用いて、このような構成を有する現像装置８についての動作の概略を説明する。
【０１７６】
トナーホッパ３４内に収容されたトナー７は、撹拌供給部材４によって現像剤供給部材３の近傍に供給される。なお、撹拌供給部材４は無くても良い。次に、相互に同じ回転方向に回転している現像剤供給部材３と現像剤担持体２は、前述したようにそれぞれトナー７が現像剤供給部材３から現像剤担持体２へ移動するような電圧が印加されており、現像剤供給部材３によってトナー７は現像剤担持体２へ供給、付着される。現像剤担持体２に付着したトナー１６は、現像領域３０の現像剤担持体２回転方向受領側に設けられた帯電部材６の近傍へ搬送される。また、帯電部材６は前述した電圧が印加されており、所定のトナー１５と電荷量に帯電される。現像剤担持体２に付着した帯電したトナー１５は、現像領域３０へ搬送されて前述したようにして像担持体１の表面の静電潜像を顕像化（現像）する。現像後、現像領域３０を通過した現像剤担持体２に残存するトナー７は、現像領域３０の現像剤担持体２回転方向下流側に設けられた除電部材５の近傍へ搬送される。この除電部材５には、前述したような現像剤担持体２上のトナー７を除電できる所定の電圧が印加されており、除電部材５によって現像剤担持体２上のトナー７を除電する。また、図３に示すように、現像剤担持体２にはこの現像剤担持体２との接触点で移動方向が逆となる現像剤供給部材３が圧接されており、これによってトナー７は現像剤担持体２から剥離（掻き取られ）され、トナーホッパ３４内に回収されて再利用される。このような工程によって繰り返し画像が形成される。
【０１７７】
次に、前述した除電後の現像剤担持体２上のトナー７の現像剤供給部材３による掻き取りについて、現像剤供給部材３による現像剤担持体２上の現像剤（トナー）の掻き取り効果を示す図５を用いて説明する。
【０１７８】
前述した除電電流値（−１．５〜−５．０μＡ）の範囲では除電効果を「中」としており、除電後の現像剤担持体２上のトナーの現像剤供給部材３での掻き取りが完全なものではなく、一部トナー（例えば掻き取り前の３０〜７０％程度）を残すものである。これにより、ある程度現像剤担持体２上のトナー７が入れ替わるので、現像剤担持体２上のトナーの粒径変動もあまり無く、現像剤担持体２上のトナーの帯電ムラもなく、現像ゴーストの発生を低減でき、また現像剤供給部材３から現像剤担持体２へのトナー７の移動がスムーズに行われ、現像剤供給部材３へのトナーの移動を低減できるので、現像剤供給部材３へのトナー目詰まりが発生して、現像剤供給部材３が硬くなることによる現像剤担持体２の削れを防止できる。
【０１７９】
また、現像剤担持体２上のトナーの帯電量も極端に落ちないので、帯電ムラによる濃度ムラ発生も低減でき、ある程度の現像剤担持体２上のトナーの搬送力も確保できので、トナーホッパ３４内のトナー軟凝集物が帯電部材６の近傍に滞留することがない。
【０１８０】
また、除電効果が「大」（−５．０μＡ以下）の場合、除電後の現像剤担持体２上のトナーの現像剤供給部材３での掻き取りが完全なものである（例えば、掻き取り前の７０％以上）。これは、現像剤担持体２上のトナーの帯電量が除電によりかなり小さくなるので
、現像剤担持体２と一成分現像剤７の付着力が弱いため、現像剤供給部材３により掻き取りやすくなることに起因する。これにより、殆ど現像剤担持体２上のトナー７が入れ替わるので、現像剤担持体２上のトナーの粒径変動が減少し、現像ゴーストの発生を低減でる。
【０１８１】
また、現像剤供給部材３から現像剤担持体２へのトナー７の移動がスムーズに行われ、現像剤供給部材３へのトナーの移動を低減できるので、現像剤供給部材３へのトナー目詰まりが発生して、この現像剤供給部材３が硬くなることによる現像剤担持体２の削れを防止できる。
【０１８２】
しかしながら、除電後に現像剤担持体２上のトナーの帯電量も極端に落ちるため、現像剤担持体２上のトナーの帯電ムラによる濃度ムラ発生したり、現像剤担持体２上のトナーの搬送力も確保できなくなり、トナーホッパ３４内のトナー軟凝集物が帯電部材６近傍に滞留するしてしまい、画像に白筋を発生させてしまう。さらに、除電後に現像剤担持体２上のトナーが殆ど現像剤供給部材３により掻き取られるため、印字濃度が高いものを現像すると、現像剤供給部材３から現像剤担持体２へのトナー供給不足が発生し、トナー追従不良によるはけ目が発生してしまう。また、除電効果が「小」（−１．５μＡ以上）の場合には、除電後の現像剤担持体２上のトナーの現像剤供給部材３での掻き取りが殆どない（例えば掻き取り前の３０％以下）。これは、逆に現像剤担持体２上のトナーの帯電量があまり除電されないので大きく、現像剤担持体２と一成分現像剤７の付着力が大きいため、現像剤供給部材３により掻き取りにくいことに起因する。これにより、殆ど現像剤担持体２上のトナー７が殆ど入れ替わらないので、現像剤担持体２上のトナーの粒径変動が多く、現像ゴーストが発生してしまう。また、現像剤供給部材３から現像剤担持体２へのトナー７の移動がスムーズに行われず、現像剤供給部材３へのトナーの移動が多くなるので、現像剤供給部材３へのトナー目詰まりが発生して、該供給部材が硬くなることによる現像剤担持体２の削れが発生してしまう。また、現像剤担持体２上のトナーの帯電量も低下させず維持できるので、現像剤担持体２上のトナーの帯電ムラによる濃度ムラ発生も無く、現像剤担持体２上のトナーの搬送力も確保できるので、トナーホッパ３４内のトナー軟凝集物が帯電部材６近傍に滞留することもない。
【０１８３】
また、図６（除電部材と接地の間に所定の接地抵抗を有する現像装置を示す概略図）と図７（除電部材と接地の間に所定の接地抵抗を有する現像装置において、現像、除電、現像剤供給、帯電（薄層化）部の詳細を説明する概略図）に示すように、本発明は、除電部材５に電位を与える電圧供給手段１２の代わりに、除電部材５と接地の間に所定の接地抵抗２０を設けて、現像剤担持体２と除電部材５の間に電界を与えるようにしたものである。
【０１８４】
この構成により、現像剤担持体２と接地の間に中抵抗の除電部材５と接地抵抗２０を設けて、抵抗分割により、除電部材５に電位を与えることができるので、除電部材５への電位供給のための電源を不要とできる現像装置８が得られる。この接地抵抗２０は、先に述べた除電電流を規制する（−５．０μＡ以上）ために２０ＭΩ以上、より好ましくは４０ＭΩ以上がよい。これにより過剰な除電電流を防止でき、現像剤供給部材３の劣化を防止できる。
【０１８５】
また、接地抵抗値を現像剤担持体２上の現像剤層の電気抵抗値よりも高く設定するとしたものであり、この構成により、除電部材５と現像剤担持体２の間で、過剰に電位差が生じて、部分的に過電流が流れたり、放電現象が発生したり、現像後、現像剤担持体２上のトナーが少なくなった場合、または殆どトナーが無い場合に、現像剤担持体２と除電部材５の間で部分的に過電流が流れたり、放電現象が発生し、トナーを劣化させたり、除電部材５や現像剤担持体２等の現像器部材を劣化させるのを防止できる。また、この接地抵抗
の大きさは図５における除電効果「中」の効果をもたらすものであり、現像装置８としての動作と効果は前述したとおりである。
【０１８６】
また、図８（現像剤担持体と除電部材の間にツエナーダイオードを有する現像装置を示す概略図）と図９（現像剤担持体と除電部材の間にツエナーダイオードを有する現像装置現像装置において、現像、除電、現像剤供給、帯電（薄層化）部の詳細を説明する概略図）に示すように、本発明は、現像剤担持体２と除電部材５の間にツエナーダイオード２２を設けて所定の電位差以上に電界が働かないようにしたものである。
【０１８７】
この構成により、除電部材５と現像剤担持体２の間で、過剰に電位差が生じて、部分的に過電流が流れたり、放電現象が発生したり、現像後、現像剤担持体２上のトナーが少なくなった場合、または殆どトナーが無い場合に、現像剤担持体２と除電部材５の間で部分的に過電流が流れたり、放電現象が発生し、トナーを劣化させたり、除電部材５や現像剤担持体２等の現像器部材を劣化させるのを防止できるようにした現像器を得ることができる。また、このツエナーダイオードの大きさは図５における除電効果「中」の効果をもたらすものであり、現像装置８としての動作と効果は前述したとおりである。
【０１８８】
また、ツエナーダイオードにより電位差を１００Ｖ以下としたものであり、より好ましくは７０Ｖ以下である。この構成により、除電部材５と現像剤担持体２の間での電位差を１００Ｖ以下にしたことにより、除電部材５と現像剤担持体２の間で放電開始電圧になるのを防止することができるので、除電部材５と現像剤担持体２の間で、過剰に電位差が生じて、部分的に過電流が流れたり、放電現象が発生したり、現像後、現像剤担持体２上のトナーが少なくなった場合、または殆どトナーが無い場合に、現像剤担持体２と除電部材５の間で部分的に過電流が流れたり、放電現象が発生し、トナーを劣化させたり、除電部材５や現像剤担持体２等の現像器部材を劣化させるのをさらに防止できる。
【０１８９】
なお、このツエナーダイオード電圧値は、トナーの平均帯電量が低い程有効であり、平均帯電量が２０μＣ／ｇ以下であれば、５０Ｖ以下が好ましい。
【０１９０】
また、現像剤担持体２と除電部材５の押圧力を引っ張り荷重３０〜１００ｇｆ以下としたものであり、この構成により、強く除電部材５を現像剤担持体２に当てすぎて、現像後の現像剤担持体２上に残留するトナーの電荷を過剰に除電して前述した不具合を発生させたり、現像剤担持体２上のトナー層が除電部材５を通過できず、トナー漏れを発生させたり、除電部材５の押圧力が弱い場合は、摩擦帯電能力の高い除電部材５を用いない限り、除電効果を高めるためには、過剰に除電部材５と現像剤担持体２の間に電位差を持たせなければならないため、除電部材５と現像剤担持体２の間で放電が起こりやすくなり、各種部材を劣化させてしまうのを防止でき、安定した除電と現像器部材劣化を防止できる。
【０１９１】
なお、上述した現像剤担持体２と除電部材５の押圧力の引っ張り荷重は、図１０の除電部材５と現像剤担持体２の押圧力の測定方法を示す概略図において、巾１０ｍｍ、厚さ０．１ｍｍのＰＥＴシートをトナーがない状態で現像剤担持体２と除電部材５の間に挟み、引抜き荷重を測定したものである。
【０１９２】
また、現像剤の粒度分布および帯電量分布を狭くする、特にＣＶ＝１００×（標準偏差／平均値）と定義される体積粒径分布を現すＣＶ値［％］が２０％以内としたものであり、この構成により、現像の粒径選択による現像前後の粒径変動を少なくすることができるので、現像剤担持体２上のトナーの比電荷変動を防止でき、現像ゴースト、残像を防止できる、かつ粒径選択の進行による現像器内の劣化トナー蓄積を防止できる。
【０１９３】
次に、本発明にかかる現像装置の具体的な実施の形態を説明する。
【０１９４】
〔実施例〕
下記のような仕様の除電部材５、現像剤担持体２、現像剤供給部材３を有する現像装置を前述した画像形成装置に取り付け、現像ゴーストとＬｉｆｅによる現像器部材の劣化具合（現像剤担持体２の摩耗、削れによる画像上の黒スジ発生具合）を評価した。
【０１９５】
ここで、除電部材５については、図２、図６、図８に示すように下シール部材を兼ねさせ、現像剤担持体２に電気的に接触させた。材質は４フッ化エチレン・パーフロロプロピルビニルエーテル（ＰＦＡ）系樹脂にカーボンを分散させたシートで、表面抵抗値が約Ｅ５Ω・ｃｍ（１０Ｖ・１５秒印加時）、厚みが１１０μｍ、ニップ幅が１．５〜２．５ｍｍ、現像剤担持体２への食い込み量が約０．５〜０．７ｍｍである。
【０１９６】
また、現像剤担持体２については、材質は導電性シリコンゴムで、外径がφ１６、体積抵抗がＥ３〜Ｅ５Ω・ｃｍ、硬度が約６０°（ＪＩＳ  Ａ）である。
【０１９７】
現像剤供給部材３については、材質は導電性ウレタンフォームで、外径がφ１３．２、体積抵抗がＥ４〜Ｅ６Ω・ｃｍ、硬度がアスカーＦ  約７０°、セル数が３．１個／ｍｍ以上である。
【０１９８】
なお、感光体としてはアルミ素管にＣＧＬ、ＣＴＬを順次積層した、膜厚約２０μｍ、φ２４のＯＰＣドラムを使用した。また、トナーは体積５０％径が約９．０μｍ、見かけ密度０．３５〜０．４０ｇ／ｃｍ3の非磁性トナーを使用した。また、現像剤担持体２上のトナーの帯電量は約−１７〜２５μＣ／ｇであり、トナー層厚は０．４３〜０．５３ｍｇ／ｃｍ2程度とした。また、感光体である像担持体の表面電位は約−５５０〜−６００Ｖとした。さらに転写装置として、ポリカーボネートの中間転写ベルトを使用し、転写部には中間転写ベルトの裏側に転写ローラを使用した。
【０１９９】
像担持体（感光体）を約１００ｍｍ／ｓの速度で回転させ、現像剤担持体２は、像担持体に対しウィズ回転で１．３３倍の周速比で回転させ、現像剤供給部材３は、現像剤担持体２に対し、食い込み量約０．６ｍｍ、アゲインスト回転で、周速比０．５２で回転させた。
【０２００】
以上の条件のもと、除電部材５に印加する直流電圧Ｖｊまたは除電部材５と接地の間にいれる接地抵抗を調節することにより（接地抵抗で除電電流を調節する方が除電部材５に供給する電源が不要となるのでコスト、小型化に有利）、除電電流を変えて、印字後に現像ゴースト、トナー追従性を目視で観察し、Ｌｉｆｅ（約１６０００枚印字）における現像剤担持体２の摩耗、削れによる画像上黒スジの有無およびトナー劣化による画像上白スジ発生の有無を観察した。
【０２０１】
なお、現像ゴーストは、図１２に示すような画像先頭部分の現像剤担持体の２周分程度に相当する部分にベタパッチ（２０×２０ｍｍ）パターンを数個配置し（現像剤担持体周期に重ならない）、現像剤担持体の３周目程度以降に相当する画像後半部分は均一なハーフトーンを配置した画像、フルベタで確認をした。トナー追従性についてはフルベタ、白スジおよび黒スジ発生具合はハーフトーンで確認をした。さらに上記画像に加えて自然画でも確認を行った。
【０２０２】
その結果を（表１）に示す。
【０２０３】
【表１】
2005265923.tif 000003
【０２０４】
上記の（表１）で、現像ゴーストでの×は、現像ゴーストチェックパターン、フルベタおよび自然画でいずれもゴーストが目視ではっきり確認できるレベルを示す。また、△は、現像ゴーストチェックパターン、フルベタでゴーストが目視で確認できるが、自然画ではゴーストが目立たないレベルを示す。そして、○は、いずれのパターンでもゴーストが目立たないレベルを示す。
【０２０５】
また、トナー追従性については、×はフルベタでも自然画でもトナー追従不良によるはけ目がはっきり確認できるレベル、△はフルベタで確認できるが、自然画では目立たないレベル、○はフルベタでも自然画でも目立たないレベルを示す。
【０２０６】
さらに、白スジ、黒スジについては、×はハーフトーンでも自然画でも白スジ、黒スジがはっきり確認できるレベル、△はハーフトーンで確認できるが、自然画では目立たないレベル、○はハーフトーンでも自然画でも目立たないレベルを示す。
【０２０７】
なお、上記結果は、イエロー、マゼンタ、シアン、ブラックのいずれにおいても同様な結果であった。
【０２０８】
また、除電部材５をポリフッ化ビニリデン（ＰＶＤＦ）、ポリテトラフルオロエチレン（ＰＴＦＥ）、ＳＵＳ等の金属に変えて評価しても除電部材５に供給する電圧や接地抵抗値が変化するが除電電流を上記に合わせると、ほぼ上記と同等な結果となった。
【０２０９】
トナー追従性については、除電効果が高すぎると、現像装置８中のトナーに逆極または帯電量が低いものが多くなるため、現像剤供給部材３の供給能力が小さくなるために、悪化することが確認された。逆に、除電効果が小さすぎても、除電後の現像剤担持体２上の現像剤が多く残っているので、現像剤供給部材３から現像剤担持体２への現像剤供給がスムーズに行われないため、現像剤供給部材３の供給能力が小さくなるために、悪化することが確認された。
【０２１０】
次に、除電電流を除電効果の大小で３つに分けて、現像剤担持体２、除電部材５のニップ部表面を観察し、除電前後の現像剤担持体２上のトナー７の帯電量を測定し、除電後の現像剤担持体２上のトナーの掻き取り効果、現像剤担持体２の現像剤搬送力と現像剤供給部材３から現像剤担持体２への現像剤供給力とを調査した結果を（表２）に示す。
【０２１１】
【表２】
2005265923.tif 000004
【０２１２】
表中、除電後現像剤掻き取り効果については、図５に示すように、現像剤担持体２および現像剤供給部材３のニップ上のトナーの残り具合で判定し、殆どトナーが残ってない状態を掻き取り効果大、殆どトナーが残っている状態を小、その間を中とした。
【０２１３】
また、現像剤搬送力に関しては、除電後帯電量が大きい程、現像剤担持体２上のトナーが現像剤供給部材３による掻き取りも少なく、ある程度帯電量を持ったトナーが残っているので、現像剤搬送力は高くなる傾向を示した。逆に、除電後帯電量が低い程、現像剤搬送力は小さくなる傾向を示し、帯電部材へのトナー付着等による白スジが発生する傾向を示した。
【０２１４】
そして、現像剤供給力に関しては、掻き取り効果が中、すなわち除電効果中が一番良好であることが確認できた。掻き取り効果が大の場合、除電後の現像剤帯電量が低すぎて、現像剤供給部材３へ現像剤が入り込んで現像剤供給部材３が硬くなることが確認された。逆に、掻き取り効果が小の場合、除電後の現像剤担持体２上の現像剤が多く残っているので、現像剤供給部材３から現像剤担持体２への現像剤供給がスムーズに行われないことが確認できた。したがって、これも現像剤供給部材３に一成分現像剤７が目詰まり、現像剤供給部材３が硬くなることが確認された。これら現像剤供給部材３が硬くなると、現像剤担持体２を摩耗、削り黒スジに発展することが確認された。
【０２１５】
さらに、Ｌｉｆｅ後の現像剤担持体２、除電部材５、現像剤供給部材３、現像装置８中のトナー７を観察すると、除電電流が大きくなる程、除電部材５上に放電痕やトナー固着、現像剤供給部材３のトナー目詰まり、現像剤担持体２の摩耗や傷、トナー劣化が多く見られた。また、黒スジに関しては、除電電流が小さすぎても発生しやすく、除電後の現像剤担持体２上のトナー７の帯電量が高く、現像剤供給部材３による掻き取り効果が少ないので、現像剤供給部材３から現像剤担持体２へのトナー供給がスムーズに行われず、現像剤供給部材３へのトナー目詰まりがおきやすくなったためと考えられる。
【０２１６】
以上の結果から、除電電流を特定の設定範囲（−１．５〜−５．０μＡ）に設定することで現像ゴースト、トナー追従不良、白スジ発生の防止と現像器部材劣化による黒スジ発生を防止できることが判明した。
【０２１７】
（実施例２）
次に、除電部材５と現像剤担持体２の電位差が２００Ｖに固定（現像バイアス−２５０Ｖ、除電部材５への供給バイアス−５０Ｖ）して、種々の除電部材５を用いて、上記と同様に現像ゴースト、トナー追従性、白スジ発生具合確認実験を行った。
【０２１８】
その結果を（表３）に示す。
【０２１９】
【表３】
2005265923.tif 000005
【０２２０】
なお、ハーフトーンでの濃度ムラは、ＰＦＡとＰＶＤＦＩで良好な結果であった。これは、先に述べたように、除電後の現像剤担持体２上のトナーが適度の帯電量を持ち、現像剤供給部材３による掻き取り効果が適度であるため、現像剤供給部材３から現像剤担持体２への供給がスムーズで安定した帯電量が得られるためと考えられる。
【０２２１】
また、白スジ発生具合で△〜○は、（表１）で述べた意味に加えて、初期画質では発生しないが、Ｌｉｆｅでのトナー劣化が発生した場合に白スジ発生があったことを示す。
【０２２２】
これは、先に述べた除電効果が高すぎた場合と同じ現象がトナー劣化の帯電量低下で発生したと考えられる。したがって、後述するように、Ｌｉｆｅによるトナー帯電量低下を見越してマージン設計が必要であることを示す。後で除電部材５と現像剤担持体２の電位差を小さくして、放電による現像器劣化改善、トナー劣化での帯電量低下による白スジ発生防止マージンの拡大検討結果を示す。
【０２２３】
表中の除電電流は、正確には除電部材５への流れ込み電流値であり、除電部材５、トナーの抵抗値、帯電量に左右されるものである。また、帯電系列上、摩擦帯電能力が高い方が大きくなる傾向にあり、現像ゴースト防止に効果的である。
【０２２４】
したがって、除電部材５の現像剤担持体２に当接する表面が現像剤よりも帯電系列上、該現像剤（トナー）の正規の帯電極性と同極性側に片寄った材料を選択する方が現像ゴースト防止マージンを拡大できることが判明した。
【０２２５】
さらに、この実施例では現像剤担持体２と除電部材５との電位差を２００Ｖとしたが、除電部材５と現像剤担持体２との間での放電による現像器部材の劣化を防止するためには
該電位差を小さくする必要があり、特に現像ゴースト防止マージンが広いＰＦＡとＰＶＤＦが有利と考えられる。
【０２２６】
また、除電電流はトナー帯電量と密接に関係があり、除電電流が大きいと除電効果が高く、帯電量が下がる、逆に除電電流が小さいと帯電量は上がる。現像ゴースト、トナー追従性、白スジ発生は、除電電流と帯電量に大きく依存する。
【０２２７】
（表３）の結果から、除電電流Ａｊ、前記帯電部材通過後の現像剤担持体２上の現像剤（トナー）の帯電量Ｑ／Ｍが、３．０≦（Ｑ／Ｍ）／Ａｊ≦１２．０であると、過剰な除電や過小な除電による現像ゴースト、トナー追従性不良、白スジ発生を同時に防止できることが判明した。
【０２２８】
（実施例３）
次に、除電部材５にＰＶＤＦＩを用いて、除電部材５と現像剤担持体２の電位差を変化させて、種々の除電部材５を用いて、実施例１と同様な実験を行った。
【０２２９】
その結果を（表４）に示す。
【０２３０】
【表４】
2005265923.tif 000006
【０２３１】
表中、除電部材５と現像剤担持体２の電位差を小さくすることは除電効果を下げることを意味し、小さくする程、除電後の帯電量を上げるのでトナー搬送力を増すことで、白スジ発生を防止できることが確認された。また、電位差２００Ｖでは除電効果が高いため、現像剤供給部材３から現像剤担持体２へのトナー供給力を低下させていたものが、電位差を小さくして除電効果を小さくしていくとトナー追従性が良好になることが確認された。表中のトナー追従性は５０Ｖにしても良好であるが、ＰＶＤＦの除電能力が高いためと考えられる。なお、表中現像剤担持体２と除電部材５の電位差が１００Ｖ以下では、帯電量は−２２〜−３０μＣ／ｇの範囲にあり、除電電流も−２．０〜−４．５μＡの範囲にあり、全て前述した３．０≦（Ｑ／Ｍ）／Ａｊ≦１２．０を満足し、過剰な除電や過小な除電による現像ゴースト、トナー追従性不良、白スジ発生を同時に防止できると共に現像剤供給部材３の供給力低下で現像剤供給部材３へのトナー目詰まりによる現像剤担持体２摩耗を防止、過剰な除電電流で放電劣化による現像剤担持体２摩耗を防止できることが判明した。
【０２３２】
さらに（表３）と（表４）の結果より、摩擦帯電能力が高い程、除電部材５と現像剤担
持体２の電位差を小さくしても現像ゴーストを防止できるので、除電部材５と現像剤担持体２の間での放電を防止でき、黒スジ発生を低減できることが判明した。
【０２３３】
（実施例４）
また、除電部材５にＰＴＦＥとＰＶＤＦＩを用いて、前述の現像剤担持体２と除電部材５の電位差を、除電部材５への供給電圧を調整した場合と現像剤担持体２と除電部材５にツエナーダイオードを入れることで電位差調整した場合で、現像ゴースト、トナー追従性、白スジ、黒スジ発生具合を比較した。
【０２３４】
同じ電位差でも、ツエナーダイオードを入れることで電位差調整した方が、現像剤担持体２および除電部材５の抵抗の大きさに関わらず、また現像剤担持体２上のトナーの有り無しによる抵抗変動に関わらず、正確に除電部材５と現像剤担持体２の電位差を保てるので、除電部材５に過剰に電流が流れることも無く、安定した現像ゴースト防止、トナー追従性が得られ、白スジ、黒スジも発生程度が低いことが判明した（除電部材５ニップ部の放電痕が少なく、帯電量変動が少ないことが確認できた）。
【０２３５】
特に、除電部材５への電圧供給方式だと、現像後、現像剤担持体２上にトナーが無い場合、除電部材５と現像剤担持体２の間で部分的に過剰な電流が流れたり、電圧変動による放電が発生してできたと考えられる放電痕や部材劣化が発生する頻度がいくらか多いのが確認された。
【０２３６】
このツエナーダイオードは、前述したように１００Ｖ以下に設定する方が黒スジ発生が低減できることも確認された。
【０２３７】
（実施例５）
次に、前述したＰＶＤＦＩを用いて、除電部材５と現像剤担持体２の電位差を１５０Ｖに固定して、除電部材５抵抗による現像ゴースト、トナー追従性、白スジ、黒スジ発生具合について評価した。
【０２３８】
実施例１〜３で使用した除電部材５の表面抵抗は主にＥ５Ω・ｃｍであったが、表面抵抗がＥ４以下の場合、現像ゴーストは良好であったが、除電効果が高すぎて除電後の現像剤担持体２上のトナーの掻き取りが過剰となり、トナー搬送力と供給力が低下し、白スジおよびトナー追従不良が発生した。除電効果を下げるため、除電部材５と現像剤担持体２の電位差を小さくしたが、除電部材５の抵抗が小さいため、現像剤担持体２から除電部材５への放電劣化が発生する傾向にあった。その結果、除電部材５上の放電によって劣化部分にトナーが堆積し、それが現像剤担持体２を削り黒スジが発生した。
【０２３９】
逆に、除電部材５の表面抵抗が約Ｅ９Ω・ｃｍ以上の場合は、放電による除電部材５の劣化は減少するが、除電効果が低下しすぎて現像ゴーストが目立つことが確認された。
【０２４０】
したがって、除電部材５の表面抵抗は、Ｅ４〜Ｅ９Ω・ｃｍに、より好ましくはＥ５〜Ｅ７Ωｃｍに設定することで、現像ゴースト、トナー追従不良、白スジ発生防止と放電による現像器部材劣化を低減できることが判明した。
【０２４１】
（実施例６）
次に、前述したＰＴＦＥ（フッ素樹脂）である除電部材５の強度による黒スジ発生具合について評価した。なお、除電部材５と現像剤担持体２の電位差１５０Ｖに固定した。
【０２４２】
除電部材５の強度が小さいと（引っ張り強度が１ＭＰａ以下）、Ｌｉｆｅでの摩耗で除電部材５材料の剥離や劣化が発生しやすく、その部分にトナーが固着して、現像剤担持体
２を削る現象が確認された。
【０２４３】
逆に、除電部材５の強度が大きいと（引っ張り強度が１ＭＰａ以上）、Ｌｉｆｅでの摩耗で除電部材５材料の剥離や劣化が発生が少なく、その部分にトナーが固着して、現像剤担持体２を削る現象が低減できることが確認された。特に、前述したＰＶＤＦは強度が大きく、摩耗が少なく最適であり、除電部材５の劣化を大幅に低減できることが判明した。
【０２４４】
（実施例７）
次に、現像剤担持体２と除電部材５の押圧力による現像ゴースト、トナー追従性、白スジ発生および黒スジ発生具合について評価した。なお、現像剤担持体２と除電部材５の電位差は１５０Ｖに固定した。
【０２４５】
その結果を（表５）に示す。
【０２４６】
【表５】
2005265923.tif 000007
【０２４７】
（表５）の結果より、前述したように押圧力が３０ｇｆ以下であると除電効果が低下し、現像ゴーストが発生し、押圧力が小さいため、現像器中にトナーを引き込む力も低下し、除電部材５にトナーが滞留する場合が発生し、そのトナーにより現像剤担持体２を削り、黒スジが発生しまう場合がある。また、除電効果が小さすぎて、前述した理由でトナーー追従性は低下し、白スジ発生は低減する。
【０２４８】
一方、１００ｇｆ以上にすると、除電効果が高すぎて、前述したように、トナー追従性低下し、白スジ、黒スジも発生する。また、押圧力が高すぎる場合は、現像剤担持体２の上のトナーが除電部材５で掻き取られて、現像器外にトナー漏れが発生するのが確認された。
【０２４９】
さらに、現像剤担持体２と除電部材５の間で熱が発生し、除電部材５のニップにトナーが融着した現象が多く見られた。そして、その融着トナーで現像剤担持体２を削る可能性が高いと考えられ、黒スジ発生も多い傾向が見られた。
【０２５０】
したがって、現像剤担持体２と除電部材５の押圧力を最適化することにより、現像ゴースト、トナー追従性、白スジ発生および黒スジ発生を低減できることが判明した。
【０２５１】
このように、実施例１〜７は、先に述べた作用効果が裏付けられるものである。
【産業上の利用可能性】
【０２５２】
以上のように、本発明にかかる現像装置及び画像形成方法は、現像ゴースト、トナー追
従不良、濃度ムラを防止すると共に、白スジ発生、現像器部材劣化による黒スジ発生を防止する効果を有し、電子写真方式の現像器、特に接触現像方式の非磁性一成分現像用現像装置などの用途として有用である。
【図面の簡単な説明】
【０２５３】
【図１】本発明の実施の形態１における現像装置を備えた画像形成装置の全体構成を示す概略図
【図２】本発明の実施の形態１における現像装置を示す概略図
【図３】本発明の実施の形態１における現像装置において、現像、除電、現像剤供給、帯電（薄層化）部の詳細を示す概略図
【図４】本発明の実施の形態１における現像装置において、除電部材に流れ込む電流（除電電流）値の測定方法を示す概略図
【図５】本発明の実施の形態１における現像装置において、現像剤供給部材による現像剤担持体上現像剤（トナー）の掻き取り効果を示す説明図
【図６】本発明の実施の形態１における現像装置において、除電部材と接地の間に所定の接地抵抗を有する現像装置を示す概略図
【図７】本発明の実施の形態１における除電部材と接地の間に所定の接地抵抗を有する現像装置において、現像、除電、現像剤供給、帯電（薄層化）部の詳細を説明する概略図
【図８】本発明の実施の形態１における現像装置において、現像剤担持体と除電部材の間にツエナーダイオードを有する現像装置を示す概略図
【図９】本発明の実施の形態１における現像剤担持体と除電部材の間にツエナーダイオードを有する現像装置現像装置において、現像、除電、現像剤供給、帯電（薄層化）部の詳細を説明する概略図
【図１０】本発明の実施の形態１における現像装置において、除電部材と現像剤担持体の押圧力の測定方法を示す概略図
【図１１】従来の現像装置を示す概略図
【図１２】現像ゴーストを評価するための画像パターンの説明図
【符号の説明】
【０２５４】
１    像担持体
２    現像剤担持体
３    現像剤供給部材
４    撹拌供給部材
５、１０５    除電部材
６    帯電部材
７    一成分現像剤（トナー）
８    現像装置
９    現像バイアス電源回路（電圧供給手段）
１０    バイアス電源回路（電圧供給手段）
１１    バイアス電源回路（電圧供給手段）
１２、１１２    除電バイアス電源（電圧供給手段）
１３、１１３    バックアップスポンジ
１４、１５、１６    トナー
１７    保護抵抗
１８    除電部材への電圧供給の電源回路
１９    電流計
２０    接地抵抗
２１    接地抵抗器
２２    ツエナーダイオード
２３    帯電装置
２４    光学系
２５    転写装置
２６    クリーニング装置
２７    除電装置
２８    定着装置
２９    受像紙
３０    現像領域
３１    レジストローラ
３２，３３    案内手段
３４    現像剤（トナー）ホッパ
【図１】
2005265923.tif 000008
【図２】
2005265923.tif 000009
【図３】
2005265923.tif 000010
【図４】
2005265923.tif 000011
【図５】
2005265923.tif 000012
【図６】
2005265923.tif 000013
【図７】
2005265923.tif 000014
【図８】
2005265923.tif 000015
【図９】
2005265923.tif 000016
【図１０】
2005265923.tif 000017
【図１１】
2005265923.tif 000018
【図１２】
2005265923.tif 000019